(57)【要約】  基地局（１２０）は、第１セルと第２セルとを収容する。中継装置（１１０）の記憶部（１１１）は、第１識別情報と通信リンクとを対応付けて記憶する。第１識別情報は、中継装置（１１０）に接続された基地局（１２０）の第１セルに付与される識別情報である。第１識別情報は、第２セルに付与された識別情報との間で末尾の所定位置を除き共通の値が設定される。転送制御部（１１２）は、第２識別情報と完全一致する第１識別情報が記憶部（１１１）に記憶されていない場合、記憶部（１１１）に記憶された第１識別情報の中から第２識別情報と前方一致する第１識別情報を探索する。第２識別情報は、他の通信装置から受信した信号に含まれ、且つ、当該信号の宛先基地局を示す識別情報である。転送制御部（１１２）は、第２識別情報と前方一致する第１識別情報と対応付けて記憶部（１１１）に記憶された通信リンクにより要求信号を転送する。
2016051578.tif 000002
【特許請求の範囲】
【請求項１】
自装置に接続された基地局のセルに付与された第１識別情報であって、前記セルと異なる前記基地局のセルに付与された識別情報との間で末尾の所定位置を除き共通の値が設定される前記第１識別情報と、自装置および前記基地局の間の通信リンクと、を対応付けて記憶する記憶部と、
他の通信装置から受信した信号に含まれる第２識別情報であって前記信号の宛先基地局を示す前記第２識別情報と一致する前記第１識別情報が前記記憶部に記憶されていない場合、前記記憶部に記憶された前記第１識別情報の中から前記第２識別情報と前方一致する第１識別情報を探索し、前記前方一致する第１識別情報と対応付けて前記記憶部に記憶された通信リンクにより前記信号を転送する転送制御部と、
を有することを特徴とする中継装置。
【請求項２】
前記転送制御部は、前記第２識別情報と前方一致する第１識別情報のうちの前記第２識別情報と前方一致する範囲が最も大きい第１識別情報を探索し、前記範囲が最も大きい第１識別情報と対応付けて前記記憶部に記憶された通信リンクにより前記信号を転送することを特徴とする請求項１に記載の中継装置。
【請求項３】
前記転送制御部は、前記範囲が最も大きい第１識別情報と対応付けて前記記憶部に記憶された通信リンクによる前記信号の転送に失敗した場合、前記範囲が最も大きい第１識別情報の次に前記範囲が大きい第１識別情報と対応付けて前記記憶部に記憶された通信リンクにより前記信号を転送することを特徴とする請求項２に記載の中継装置。
【請求項４】
前記末尾の所定位置のビット長は、第１ビット長以下であり、
前記転送制御部は、前記第１識別情報のビット長と前記第１ビット長との差分に相当する第２ビット長以上で前記第２識別情報と前方一致する第１識別情報を探索し、前記第２ビット長以上で前記第２識別情報と前方一致する第１識別情報と対応付けて前記記憶部に記憶された通信リンクにより前記信号を転送することを特徴とする請求項１〜３のいずれか一つに記載の中継装置。
【請求項５】
前記信号は、前記基地局とは異なる他の基地局のセルに接続されている移動局の接続先を前記宛先基地局のセルに切替えることを要求する信号であることを特徴とする請求項１〜４のいずれか一つに記載の中継装置。
【請求項６】
前記転送制御部は、前記第２識別情報と一致する前記第１識別情報が前記記憶部に記憶されている場合、前記第２識別情報と一致する前記第１識別情報と対応付けて前記記憶部に記憶された通信リンクにより前記信号を転送することを特徴とする請求項１〜５のいずれか一つに記載の中継装置。
【請求項７】
自装置に接続された基地局のセルに付与された第１識別情報であって、前記セルと異なる前記基地局のセルに付与された識別情報との間で先頭の所定位置を除き共通の値が設定される前記第１識別情報と、自装置および前記基地局の間の通信リンクと、を対応付けて記憶する記憶部と、
他の通信装置から受信した信号に含まれる第２識別情報であって前記信号の宛先基地局を示す前記第２識別情報と一致する前記第１識別情報が前記記憶部に記憶されていない場合、前記記憶部に記憶された前記第１識別情報の中から前記第２識別情報と後方一致する第１識別情報を探索し、前記後方一致する第１識別情報と対応付けて前記記憶部に記憶された通信リンクにより前記信号を転送する転送制御部と、
を有することを特徴とする中継装置。
【請求項８】
自装置に接続された基地局のセルに付与された第１識別情報であって、前記セルと異なる前記基地局のセルに付与された識別情報との間で末尾の所定位置を除き共通の値が設定される前記第１識別情報と、自装置および前記基地局の間の通信リンクと、を対応付けて記憶し、他の通信装置から受信した信号に含まれる第２識別情報であって前記信号の宛先基地局を示す前記第２識別情報と一致する前記第１識別情報を記憶していない場合、記憶した前記第１識別情報の中から前記第２識別情報と前方一致する第１識別情報を探索し、前記前方一致する第１識別情報と対応付けて記憶した通信リンクにより前記信号を転送する中継装置と、
前記中継装置によって転送された前記信号に基づく処理を行う前記基地局と、
を有することを特徴とする基地局システム。
【発明の詳細な説明】
【技術分野】
【０００１】
本発明は、中継装置および基地局システムに関する。
【背景技術】
【０００２】
従来、ＨｅＮＢ（Ｈｏｍｅ  ｅｖｏｌｖｅｄ  Ｎｏｄｅ  Ｂ）−ＧＷ（Ｇａｔｅ  Ｗａｙ）経由のＣＡ（キャリアアグリゲーション）において、基地局であるＨｅＮＢが複数のホームセルを管理する場合、ＨｅＮＢに対して複数のＨｅＮＢ  ＩＤを割り当てる移動通信システムがある（例えば、下記特許文献１参照。）。【０００３】
また、基地局であるｅＮＢが、ＨｅＮＢ配下の複数のセル毎の物理セル識別情報とＣｅｌｌ  ｉｄｅｎｔｉｔｙとを対応付けて管理することにより、ＨｅＮＢ配下のセル＃１へのハンドオーバを行う通信方法がある（例えば、下記特許文献２参照。）。
【先行技術文献】
【特許文献】
【０００４】
【特許文献１】特開２０１２−０４４３２０号公報
【特許文献２】特開２０１３−０８１０３３号公報
【発明の概要】
【発明が解決しようとする課題】
【０００５】
しかしながら、従来技術では、基地局が複数のセルを収容する場合に、１つの基地局が複数のセルの識別情報を有することになる。このため、従来技術の一側面では、中継装置が受信した信号の転送先の基地局を識別することが困難であるという問題がある。他の側面からは、中継装置が転送処理に係る宛先情報として基地局の全てのセルの識別情報を管理したとすると、中継装置において管理する情報量が膨大となり、中継装置の負担が増大するという問題がある。【０００６】
本発明の一側面では、基地局が複数のセルを収容していたとしても、受信した信号の転送先の基地局を識別可能にすること目的とする。本発明の一側面では、複数セルの基地局を収容する中継装置において、信号の転送先を識別可能にしつつ、複数セルの基地局の収容に供するメモリリソースの利用効率を向上（基地局の収容数の増大ないしメモリリソースの削減）させることができる中継装置および基地局システムを提供することを目的とする。
【課題を解決するための手段】
【０００７】
本発明の一側面によれば、自装置に接続された基地局のセルに付与された第１識別情報であって、前記セルと異なる前記基地局のセルに付与された識別情報との間で末尾の所定位置を除き共通の値が設定される前記第１識別情報と、自装置および前記基地局の間の通信リンクと、を対応付けて記憶し、他の通信装置から受信した信号に含まれる第２識別情報であって前記信号の宛先基地局を示す前記第２識別情報と一致する前記第１識別情報を記憶していない場合、記憶した前記第１識別情報の中から前記第２識別情報と前方一致する第１識別情報を探索し、前記前方一致する第１識別情報と対応付けて記憶した通信リンクにより前記信号を転送し、転送した前記信号に基づく処理を行う、中継装置および基地局システムが提案される。
【発明の効果】
【０００８】
本発明の一態様によれば、基地局が複数のセルを収容していたとしても、受信した信号の転送先の基地局を識別することができる。
【図面の簡単な説明】
【０００９】
【図１】図１は、実施の形態にかかる中継装置および基地局システムの一例を示す図である。
【図２Ａ】図２Ａは、小基地局システムの接続の一例を示す図である。
【図２Ｂ】図２Ｂは、ＭｅＮＢおよびＨｅＮＢのｅＮＢ  ＩＤの一例を示す図である。
【図３】図３は、小基地局システムのＨｅＮＢ−ＧＷの構成の一例を示す図である。
【図４】図４は、Ｓ１ＡＰ：Ｓ１  ＳＥＴＵＰ  ＲＥＱＵＥＳＴの一例を示す図である。
【図５】図５は、ＨｅＮＢ−ＧＷが行うＳ１管理テーブルの登録処理の一例を示すフローチャートである。
【図６】図６は、Ｓ１ＡＰ：ＥＮＢ  ＣＯＮＦＩＧＵＲＡＴＩＯＮ  ＵＰＤＡＴＥの一例を示す図である。
【図７】図７は、ＨｅＮＢ−ＧＷが行うＳ１管理テーブルの更新処理の一例を示すフローチャートである。
【図８】図８は、Ｓ１管理テーブルの更新の一例を示す図（その１）である。
【図９】図９は、Ｓ１管理テーブルの更新の一例を示す図（その２）である。
【図１０】図１０は、Ｓ１管理テーブルの更新の一例を示す図（その３）である。
【図１１】図１１は、ハンドオーバ時における小基地局システムの転送動作の一例を示す図である。
【図１２】図１２は、ＵＥがＭｅＮＢへ通知する測定結果の一例を示す図である。
【図１３】図１３は、Ｓ１ＡＰ：ＨＡＮＤＯＶＥＲ  ＲＥＱＵＩＲＥＤの一例を示す図である。
【図１４】図１４は、Ｓ１ＡＰ：ＨＡＮＤＯＶＥＲ  ＲＥＱＵＥＳＴの一例を示す図である。
【図１５Ａ】図１５Ａは、ＨｅＮＢ−ＧＷが行う転送制御処理の一例を示すフローチャート（その１）である。
【図１５Ｂ】図１５Ｂは、ＨｅＮＢ−ＧＷが行う転送制御処理の一例を示すフローチャート（その２）である。
【図１６】図１６は、ＨｅＮＢ−ＧＷの転送制御処理において識別できるｅＮＢ  ＩＤの一例を示す説明図である。
【図１７】図１７は、ＨｅＮＢが行う処理の一例を示すフローチャートである。
【図１８】図１８は、変形例にかかるＨｅＮＢ−ＧＷが行うハンドオーバ処理の一例を示すフローチャートである。
【発明を実施するための形態】
【００１０】
以下に図面を参照して、開示技術の好適な実施の形態を詳細に説明する。
【００１１】
（実施の形態）
（実施の形態にかかる中継装置および基地局システムの一例）
図１は、実施の形態にかかる中継装置および基地局システムの一例を示す図である。図１において、基地局システム１００は、中継装置１１０と、基地局１２０と、を有する。中継装置１１０は、例えば、ＨｅＮＢ（Ｈｏｍｅ  ｅｖｏｌｖｅｄ  Ｎｏｄｅ  Ｂ）−ＧＷ（Ｇａｔｅ  Ｗａｙ）である。基地局１２０は、例えば、ＨｅＮＢである。基地局１２０は、複数のセルを収容する。例えば、基地局１２０は、第１セルと第２セルとを収容する。
【００１２】
中継装置１１０は、記憶部１１１と、転送制御部１１２と、を有する。記憶部１１１は、第１識別情報と、通信リンクと、を対応付けた対応情報１１３を記憶する。第１識別情報は、自装置である中継装置１１０に接続された基地局１２０の第１セルに付与される識別情報である。また、第１識別情報は、第１セルと異なる第２セルに付与された識別情報との間で末尾の所定位置を除き共通の値が設定される。
【００１３】
通信リンクは、中継装置１１０と、基地局１２０との間の通信リンクである。通信リンクは、例えば、Ｓ１インタフェースの通信リンクである。第１識別情報と対応付けられる対応情報１１３の通信リンクは、例えば、ＴＡＣ（トラッキングエリアコード）やＰＬＭＮ（公衆ランドモバイルネットワーク番号）などの通信リンクを特定するための情報を含む。
【００１４】
転送制御部１１２は、例えば、第２識別情報と一致する第１識別情報が記憶部１１１に記憶されているか否かを判定する。第２識別情報は、他の通信装置から受信した信号に含まれる識別情報であり、且つ、当該信号の宛先基地局を示す識別情報である。第２識別情報は、例えば、宛先基地局におけるセルに付与される識別情報である。他の通信装置は、中継装置１１０や基地局１２０とは異なる装置であり、例えば、ＭＭＥ（Ｍｏｂｉｌｅ  Ｍａｎａｇｅｍｅｎｔ  Ｅｎｔｉｔｙ）やＳ−ＧＷ（Ｓｅｒｖｉｎｇ−ＧＷ）などのコア装置である。また、ここでいう第１識別情報と第２識別情報との一致とは、例えば完全一致である。
【００１５】
また、他の通信装置から受信した信号は、例えば、基地局１２０とは異なる他の基地局のセルに接続されている移動局の接続先を、宛先基地局のセルに切替えることを要求する信号とすることができる。以下において、中継装置１１０が他の通信装置から受信した信号を要求信号として説明する。
【００１６】
転送制御部１１２は、第２識別情報と完全一致する第１識別情報が記憶部１１１に記憶されていない場合、記憶部１１１に記憶された第１識別情報の中から第２識別情報と前方一致する第１識別情報を探索する。そして、転送制御部１１２は、第２識別情報と前方一致する第１識別情報と対応付けて記憶部１１１に記憶された通信リンクにより要求信号を転送する。これにより、転送制御部１１２は、宛先基地局に要求信号を転送することができる。
【００１７】
また、転送制御部１１２は、第２識別情報と完全一致する第１識別情報が記憶部１１１に記憶されている場合、第２識別情報と完全一致する第１識別情報と対応付けて記憶部１１１に記憶された通信リンクにより要求信号を転送する。
【００１８】
基地局１２０は、中継装置１１０によって転送された信号であって、中継装置１１０が他の通信装置から受信した信号に基づく処理を行う。中継装置１１０が他の通信装置から受信し基地局１２０へ転送した信号が要求信号であるとすると、基地局１２０が行う処理は、例えば、ハンドオーバ処理である。
【００１９】
また、基地局１２０は、第２識別情報と前方一致する第１識別情報と対応付けられる通信リンクにより転送信号を受信すると、中継装置１１０からの転送信号に示される識別情報に基づくセルの振分処理を行う。例えば、基地局１２０は、中継装置とは異なり、配下にある複数のセルの各々について識別情報を記憶している。そのため、基地局１２０は、中継装置からの転送信号（要求信号など）に示される識別情報に基づいて、セルを特定する処理を行う。
【００２０】
また、例えば、第１識別情報や第２セルに付与された識別情報の末尾の所定位置のビット長は、第１ビット長以下である。転送制御部１１２は、第１識別情報のビット長と第１ビット長との差分に相当する第２ビット長以上で第２識別情報と前方一致する第１識別情報を探索する。転送制御部１１２は、第２ビット長以上で第２識別情報と前方一致する第１識別情報と対応付けて記憶部に記憶された通信リンクにより要求信号を転送する。
【００２１】
以下において、第１識別情報のビット長は、例えば２８ビットとする。第１ビット長は、１ビット以上の任意の値に設定することができる。第２ビット長は、例えば、第１識別情報のビット長を２８ビットとすると、２７ビット以下である。また、第２ビット長は、例えば、第１識別情報のビット長を２８ビットとし、第１ビット長を３ビットとした場合、２５ビット以上とすることができる。例えば、基地局１２０が２つのセルを収容する場合、第１ビット長を第１識別情報の末尾１ビット以上とすればよい。また、第１ビット長を第１識別情報の末尾３ビットとした場合、８つのセルを識別することができる。
【００２２】
また、転送制御部１１２は、第２識別情報と前方一致する第１識別情報のうちの第２識別情報と前方一致する範囲が最も大きい第１識別情報を探索する。転送制御部１１２は、第２識別情報と前方一致する範囲が最も大きい第１識別情報と対応付けて記憶部１１１に記憶された通信リンクにより要求信号を転送する。例えば、第１識別情報のビット長を２８ビットとすると、第２識別情報と前方一致する最も大きい第１識別情報の範囲は、２７ビットである。
【００２３】
上位２７ビットが第２識別情報と前方一致する第１識別情報が記憶部１１１に記憶されていない場合、転送制御部１１２は、次に大きい範囲の２６ビットが第２識別情報と前方一致する第１識別情報を探索する。また、上位２６ビットが第２識別情報と前方一致する第１識別情報が記憶部１１１に記憶されていない場合、転送制御部１１２は、次に大きい範囲の２５ビットが第２識別情報と前方一致する第１識別情報を探索する。以降、例えば予め設定される所定ビット数まで上位ビット数を減じて、転送制御部１１２は、この探索を繰り返す。このように、最も範囲の大きいビットのものから所定ビット数まで徐々に前方一致の範囲を狭める。これにより、例えば、探索の回数を減らすことができるため、探索の効率化を図ることができる。
【００２４】
この場合、転送制御部１１２は、例えば、第２識別情報と前方一致する範囲が最も大きい第１識別情報と対応付けて記憶部１１１に記憶された通信リンクを用いた要求信号の転送に失敗したか否かを判定してもよい。要求信号の転送に失敗するとは、例えば、転送自体ができなかったことを含む。
【００２５】
また、異なる基地局１２０間で末尾の所定位置を除き共通の値が設定される場合もある。この場合、要求信号の転送に失敗するとは、例えば、第２識別情報と前方一致する範囲が最も大きい第１識別情報が付与された第１セルを転送先の基地局１２０が収容していない場合に、転送されていない旨を転送先の基地局１２０から受信することを含む。
【００２６】
転送制御部１１２は、要求信号の転送に失敗した場合、第２識別情報と前方一致する範囲が最も大きい第１識別情報の次に範囲が大きい第１識別情報と対応付けて記憶部１１１に記憶された通信リンクにより要求信号を転送してもよい。例えば、上位２７ビットが第２識別情報と前方一致する第１識別情報と対応付けられた通信リンクを用いた要求信号の転送に失敗した場合、次に範囲が大きい上位２６ビットが前方一致する第１識別情報と対応付けられた通信リンクにより要求信号を転送する。
【００２７】
ただし、他に上位２７ビットが第２識別情報と前方一致する第１識別情報と対応付けられた通信リンクがある対応情報１１３に記憶されている場合がある。この場合には、この上位２７ビットが第２識別情報と前方一致する第１識別情報と対応付けられた通信リンクにより要求信号を転送すればよい。
【００２８】
また、例えば上位２６ビットが第２識別情報と前方一致する第１識別情報と対応付けられた通信リンクを用いた要求信号の転送に失敗した場合、次に範囲が大きい上位２５ビットが前方一致する第１識別情報と対応付けられた通信リンクにより要求信号を転送する。以降、例えば予め設定されるビット数まで、この転送を繰り返してもよい。
【００２９】
第１識別情報に共通の値が設定されるのは、末尾の所定位置に限らず、先頭の所定位置としてもよい。例えば、第１識別情報は、中継装置１１０に接続された基地局の第１セルと異なる基地局１２０の第２セルに付与された識別情報との間で先頭の所定位置を除き共通の値が設定されていてもよい。この場合、転送制御部１１２は、第２識別情報と完全一致する第１識別情報が記憶部１１１に記憶されていない場合、記憶部１１１に記憶された第１識別情報の中から第２識別情報と後方一致する第１識別情報を探索すればよい。また、転送制御部１１２は、後方一致する第１識別情報と対応付けて記憶部１１１に記憶された通信リンクにより要求信号を転送すればよい。
【００３０】
（小基地局システムの接続の一例）
図２Ａは、小基地局システムの接続の一例を示す図である。図２Ａに示すように小基地局システム２００は、ＨｅＮＢ２０１と、ＭｅＮＢ（Ｍａｃｒｏ  ｅＮＢ）２０２と、ＨｅＮＢ−ＧＷ２０３と、ＭＭＥやＳ−ＧＷなどのコア装置（以下「ＭＭＥ２０４」という）と、を有する。
【００３１】
ＨｅＮＢ２０１やＭｅＮＢ２０２は、ＬＴＥ（Ｌｏｎｇ  Ｔｅｒｍ  Ｅｖｏｌｕｔｉｏｎ）の無線基地局である。ＬＴＥは、標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）の通信規格である。ＭｅＮＢ２０２は、複数のセルを有し、例えば、ＣＡ（キャリアアグリゲーション）による通信を行うことが可能である。また、本実施の形態では、ＨｅＮＢ２０１についても、複数のセルを有し、ＣＡによる通信を行うことが可能である。
【００３２】
ＣＡは、複数の搬送波による通信を一体的に運用する通信方式である。ＣＡにより、無線通信を高速化することができる。ＣＡでは、例えば、基地局が周波数の異なる複数のセルを構成した状態で、そのうちの一つのセルを、主に制御信号（ＭｅａｓｕｒｅｍｅｎｔやＭｏｂｉｌｉｔｙ等）のやり取りを行うためのＰＣｅｌｌ（Ｐｒｉｍａｒｙ  Ｃｅｌｌ）として動作させることができる。また、ＣＡでは、それ以外のセルを、主にデータ通信を行うためのＳＣｅｌｌ（Ｓｅｃｏｎｄａｒｙ  Ｃｅｌｌ）として動作させることができる。ＣＡを行うための各セルは、ＥＣＧＩ（Ｅ−ＵＴＲＡＮ  Ｃｅｌｌ  Ｇｌｏｂａｌ  Ｉｄｅｎｔｉｆｉｅｒ）によって判別される。
【００３３】
また、小型基地局であるＨｅＮＢ２０１は、大型のセルを構築するＭｅＮＢ２０２よりも大量に設置される。これらのＨｅＮＢ２０１がＭＭＥ２０４に直接接続すると、ＭＭＥ２０４がたくさんのＨｅＮＢ２０１を管理することになるため、ＭＭＥ２０４の負荷が増大する。このため、ＨｅＮＢ２０１とＭＭＥ２０４とは、例えば、ＨｅＮＢ−ＧＷ２０３を介して接続する。これにより、ＭＭＥ２０４が直接管理するＨｅＮＢ２０１の数を減らすことができ、ＭＭＥ２０４の負荷を軽減することができる。
【００３４】
各装置は、例えば、Ｓ１インタフェース、Ｘ２インタフェース、Ｓ５インタフェースなどを介して接続される。Ｓ１インタフェースは、例えば、ＨｅＮＢ２０１やＭｅＮＢ２０２などの無線基地局と、コア装置側とを結ぶインタフェースである。例えば、Ｓ１インタフェースは、ＨｅＮＢ２０１とＨｅＮＢ−ＧＷ２０３との接続や、ＨｅＮＢ−ＧＷ２０３とＭＭＥ２０４との接続や、ＨｅＮＢ２０１とＭＭＥ２０４との接続や、ＭｅＮＢ２０２とＭＭＥ２０４との接続などに用いられる。
【００３５】
また、Ｘ２インタフェースは、例えば、ＨｅＮＢ２０１やＭｅＮＢ２０２などの２つの無線基地局間を結ぶインタフェースである。例えば、Ｘ２インタフェースは、ＨｅＮＢ２０１同士の接続や、ＭｅＮＢ２０２同士の接続や、ＨｅＮＢ２０１とＭｅＮＢ２０２との接続に用いられる。また、Ｓ５インタフェースは、例えば、動画や画像データの実際のデータの通信に用いられるインタフェースである。例えば、Ｓ５インタフェースは、ＨｅＮＢ２０１またはＭｅＮＢ２０２と、Ｓ−ＧＷとの間を繋ぐインタフェースである。
【００３６】
（ＭｅＮＢおよびＨｅＮＢのｅＮＢ  ＩＤの一例）
図２Ｂは、ＭｅＮＢおよびＨｅＮＢのｅＮＢ  ＩＤの一例を示す図である。図２Ｂに示すように、ＬＴＥネットワークの全てのセルは、ネットワーク全体で固有の値である２８ビットのＣｅｌｌ  Ｉｄｅｎｔｉｔｙを保持している。さらに、ＬＴＥネットワークの全ての無線基地局はネットワーク全体の固有の値であるｅＮＢ  ＩＤを保持している。通常、Ｃｅｌｌ  ＩｄｅｎｔｉｔｙおよびｅＮＢ  ＩＤには以下の関係がある。
【００３７】
１つの無線基地局で複数のセルを保持するＭｅＮＢ２０２の場合、ＭｅＮＢ２０２の配下のセルにおいては、２８ビットのＣｅｌｌ  Ｉｄｅｎｔｉｔｙの上位２０ビットの値が同値である。このため、この上位２０ビットの値が、ＭｅＮＢ２０２のｅＮＢ  ＩＤとなる。つまり、ＭｅＮＢ２０２は、２０ビットのｅＮＢ  ＩＤの識別子で表される。また、残りの８ビットの識別子は、基地局内のセルの識別に用いられる。
【００３８】
一方で、ＨｅＮＢ２０１の場合、ＨｅＮＢ２０１の各セルにおいては、２８ビットのＣｅｌｌ  Ｉｄｅｎｔｉｔｙの値がそれぞれＨｅＮＢ２０１のｅＮＢ  ＩＤとなる。ＨｅＮＢ２０１は、ＭｅＮＢ２０２に比べて大量に設置されるため、仮にＨｅＮＢ２０１の基地局自体の識別子として１０４８５７６パターンしかない２０ビットのｅＮＢ  ＩＤを使用したとすると、ｅＮＢ  ＩＤの枯渇を引き起こすおそれがある。
【００３９】
このため、ＨｅＮＢ２０１の場合、２８ビットの値で無線基地局自体の識別とセルの識別とが行われる。本実施の形態においては、同じＨｅＮＢ２０１の複数のセル間では、２８ビットのうちの上位の所定ビットが共通化される。
【００４０】
本実施の形態のある側面では、共通化されるビット長を、基地局が収容するセル数などに応じた長さに設定することができる。例えば、２つのセルがＨｅＮＢ２０１に収容される場合、２８ビットのＣｅｌｌ  Ｉｄｅｎｔｉｔｙ（ｅＮＢ  ＩＤ）の上位２７ビットをセル間で共通化すればよい。そして、ＨｅＮＢ２０１を収容するＨｅＮＢ−ＧＷ２０３が、受信した信号の宛先を示すセルのＩＤと前方一致するビット長が最も長いｅＮＢ  ＩＤを探索することにより、信号の転送先のＨｅＮＢ２０１を識別することができる。
【００４１】
図１において説明した、第１識別情報は、例えば、２８ビットのｅＮＢ  ＩＤによって実現される。第２識別情報は、移動局からの接続要求の対象を示すＴａｒｇｅｔ  Ｃｅｌｌ  ＩＤによって実現される。また、図１に示した基地局システム１００は、例えば、小基地局システム２００によって実現される。また、中継装置１１０は、例えば、ＨｅＮＢ−ＧＷ２０３によって実現される。また、基地局１２０は、例えば、ＨｅＮＢ２０１によって実現される。
【００４２】
（小基地局システムのＨｅＮＢ−ＧＷの構成の一例）
図３は、小基地局システムのＨｅＮＢ−ＧＷの構成の一例を示す図である。図３に示すように小基地局システム２００のＨｅＮＢ−ＧＷ２０３は、Ｓ１インタフェースを介してＨｅＮＢ２０１と接続される。ＨｅＮＢ−ＧＷ２０３は、Ｓ１インタフェースを介してＭＭＥ２０４と接続される。ＨｅＮＢ−ＧＷ２０３は、伝送インタフェース３１０と、ＣＰＵ（Ｃｅｎｔｒａｌ  Ｐｒｏｃｅｓｓｉｎｇ  Ｕｎｉｔ）３２０と、メモリ３３０と、を有する。
【００４３】
伝送インタフェース３１０は、ＨｅＮＢ側Ｓ１送受信部３１１と、ＭＭＥ側Ｓ１送受信部３１２と、を有する。ＣＰＵ３２０は、Ｓ１インタフェース確立・更新部３２１と、Ｓ１メッセージ処理部３２２とを有する。メモリ３３０は、Ｓ１管理テーブルＴＢを記憶する。ＨｅＮＢ側Ｓ１送受信部３１１は、ＨｅＮＢ２０１との間でメッセージを送受する。
【００４４】
（Ｓ１ＡＰ：Ｓ１  ＳＥＴＵＰ  ＲＥＱＵＥＳＴを受信した場合）
ＨｅＮＢ側Ｓ１送受信部３１１は、受信したメッセージがＳ１の接続要求を示すＳ１ＡＰ：Ｓ１  ＳＥＴＵＰ  ＲＥＱＵＥＳＴであった場合、ＳＥＴＵＰ  ＲＥＱＵＥＳＴをＳ１インタフェース確立・更新部３２１へ通知する。Ｓ１ＡＰは、Ｓ１制御プレーンプロトコルであり、ストリーム制御伝送プロトコル（ＳＣＴＰ）／ＩＰの上に置かれる。Ｓ１インタフェース確立・更新部３２１は、Ｓ１インタフェースの確立や状態管理を行う。
【００４５】
Ｓ１インタフェース確立・更新部３２１は、ＨＯ（Ｈａｎｄ  Ｏｖｅｒ）処理用ＩＥ（Ｉｎｆｏｒｍａｔｉｏｎ  Ｅｌｅｍｅｎｔ）存否確認部３２３を有する。Ｓ１インタフェース確立・更新部３２１は、ＳＥＴＵＰ  ＲＥＱＵＥＳＴを受信すると、ＨＯ処理用ＩＥ存否確認部３２３を起動する。ＨＯ処理用ＩＥ存否確認部３２３は、ＳＥＴＵＰ  ＲＥＱＵＥＳＴを送信したＨｅＮＢ２０１が、ＨＯに特別処理を要求するＨｅＮＢ２０１であるか否かを判定する。特別処理は、詳細については後述するが、例えばハンドオーバ時に、Ｔａｒｇｅｔ  Ｃｅｌｌ  ＩＤと上位所定ビットが一致するｅＮＢ  ＩＤが付与されたセルを収容するＨｅＮＢ２０１をＳ１管理テーブルＴＢから探索して転送する処理である。
【００４６】
例えば、ＨＯ処理用ＩＥ存否確認部３２３は、ＳＥＴＵＰ  ＲＥＱＵＥＳＴに、オプションパラメータであるＩＥ：ｅＮＢ  Ｎａｍｅが含まれているかを確認する。ＩＥ：ｅＮＢ  Ｎａｍｅには、例えば、Ｃｅｌｌ  Ｉｄｅｎｔｉｔｙが示す２８ビットのうちの、セル間で共通化された上位所定ビットの指定を示すＨＯ  ｂｉｔ情報が格納されている。
【００４７】
ＳＥＴＵＰ  ＲＥＱＵＥＳＴにＩＥ：ｅＮＢ  Ｎａｍｅが含まれている場合、ＨＯ処理用ＩＥ存否確認部３２３は、通常のＳ１インタフェース関連情報に加えて、ＨＯ  ｂｉｔ情報をＳ１管理テーブルＴＢに登録する。ＳＥＴＵＰ  ＲＥＱＵＥＳＴにＩＥ：ｅＮＢ  Ｎａｍｅが含まれていない場合、ＨＯ処理用ＩＥ存否確認部３２３は、ＨＯ  ｂｉｔ情報を未登録にしたり、２８ビット全てをＨＯ処理に使用することを示す情報をＳ１管理テーブルＴＢに登録したりする。
【００４８】
Ｓ１管理テーブルＴＢは、ｅＮＢ  ＩＤや、ＴＡＣや、ＰＬＭＮや、ＨＯ  ｂｉｔ情報などを登録する。ＴＡＣは、ＬＴＥ方式の移動通信システムにおける位置登録エリア（Ｔｒａｃｋｉｎｇ  Ａｒｅａ）を識別する情報であり、例えば、１つの位置登録エリアに対して固有のＴＡＣが割当てられる。ＰＬＭＮは、例えば、接続中の移動体通信事業者を示す。ＨＯ  ｂｉｔ情報は、ハンドオーバ時の特別処理において使用するＣｅｌｌ  Ｉｄｅｎｔｉｔｙの上位ビット数を示す。
【００４９】
Ｓ１管理テーブルＴＢに登録されるＣｅｌｌ  Ｉｄｅｎｔｉｔｙのビット数は、ＨｅＮＢ−ＧＷ２０３およびＨｅＮＢ２０１間でＳ１確立を行う際に決められる値でもよいし、予めシステム全体で決められる値でもよい。また、不図示の保守装置からそれぞれに通知される値でもよい。
【００５０】
また、ＨＯ処理用ＩＥ存否確認部３２３は、ＨｅＮＢ側Ｓ１送受信部３１１を介して、ＳＥＴＵＰ  ＲＥＱＵＥＳＴを送信したＨｅＮＢ２０１へ、登録の完了を示すＳ１  ＳＥＴＵＰ  ＲＥＳＰＯＮＳＥを送信する。
【００５１】
（Ｓ１ＡＰ：ＥＮＢ  ＣＯＮＦＩＧＵＲＡＴＩＯＮ  ＵＰＤＡＴＥを受信した場合）
ＨｅＮＢ側Ｓ１送受信部３１１は、受信したメッセージがＳ１の更新要求を示すＳ１ＡＰ：ＥＮＢ  ＣＯＮＦＩＧＵＲＡＴＩＯＮ  ＵＰＤＡＴＥであった場合、当該メッセージをＳ１インタフェース確立・更新部３２１へ通知する。
【００５２】
Ｓ１インタフェース確立・更新部３２１は、ＥＮＢ  ＣＯＮＦＩＧＵＲＡＴＩＯＮ  ＵＰＤＡＴＥを受信すると、ＨＯ処理用ＩＥ存否確認部３２３を起動する。ＨＯ処理用ＩＥ存否確認部３２３は、ＥＮＢ  ＣＯＮＦＩＧＵＲＡＴＩＯＮ  ＵＰＤＡＴＥを送信したＨｅＮＢ２０１が、ＨＯに特別処理を要求するＨｅＮＢ２０１であるか否かを判定する。
【００５３】
例えば、ＨＯ処理用ＩＥ存否確認部３２３は、ＥＮＢ  ＣＯＮＦＩＧＵＲＡＴＩＯＮ  ＵＰＤＡＴＥに、オプションパラメータであるＩＥ：ｅＮＢ  Ｎａｍｅが含まれているかを判定する。ＥＮＢ  ＣＯＮＦＩＧＵＲＡＴＩＯＮ  ＵＰＤＡＴＥに、ＩＥ：ｅＮＢ  Ｎａｍｅが含まれている場合は、ＨＯ処理用ＩＥ存否確認部３２３は、通常のＳ１インタフェース関連情報に加えて、Ｓ１管理テーブルＴＢのＨＯ  ｂｉｔ情報を含むＳ１情報を更新する。ＨＯ処理用ＩＥ存否確認部３２３は、ＥＮＢ  ＣＯＮＦＩＧＵＲＡＴＩＯＮ  ＵＰＤＡＴＥにＩＥ：ｅＮＢ  Ｎａｍｅが含まれていない場合は、ＨＯ  ｂｉｔ情報を除くＳ１情報の更新を行う。
【００５４】
また、ＨＯ処理用ＩＥ存否確認部３２３は、ＨｅＮＢ側Ｓ１送受信部３１１を介して、ＥＮＢ  ＣＯＮＦＩＧＵＲＡＴＩＯＮ  ＵＰＤＡＴＥを送信したＨｅＮＢ２０１に対して、更新の完了を示すメッセージを送信する。更新の完了を示すメッセージは、例えば、ＥＮＢ  ＣＯＮＦＩＧＵＲＡＴＩＯＮ  ＵＰＤＡＴＥ  ＡＣＫＮＯＷＬＥＤＧＥである。
【００５５】
このように、ＨｅＮＢ２０１がＨｅＮＢ−ＧＷ２０３に対して１のｅＮＢ  ＩＤのみを通知することにより、ＨｅＮＢ−ＧＷ２０３は、ＨｅＮＢ２０１について１のｅＮＢ  ＩＤを管理する。ただし、ＨｅＮＢ２０１は、無線区間において、ＵＥ（Ｕｓｅｒ  Ｅｑｕｉｐｍｅｎｔ）に対して、収容しているセル分のＣｅｌｌ  Ｉｄｅｎｔｉｔｙを報知している。このため、ＵＥは、Ｃｅｌｌ  Ｉｄｅｎｔｉｔｙを検出して、そのセルにハンドオーバを実行する。Ｃｅｌｌ  Ｉｄｅｎｔｉｔｙは、例えば、ＨｅＮＢ２０１がＨｅＮＢ−ＧＷ２０３に通知しているｅＮＢ  ＩＤと完全一致する場合、前方一致する場合または異なる場合がある。
【００５６】
ＭＭＥ側Ｓ１送受信部３１２は、ＭＭＥ２０４との間でメッセージを送受する。ＭＭＥ側Ｓ１送受信部３１２は、受信したメッセージがハンドオーバの要求を示すＨＡＮＤＯＶＥＲ  ＲＥＱＵＥＳＴである場合、当該メッセージをＳ１メッセージ処理部３２２へ通知する。ＨＡＮＤＯＶＥＲ  ＲＥＱＵＥＳＴは、ＵＥが在圏中のＭｅＮＢ２０２に対してハンドオーバの要求を行うことにより、ＭＭＥ２０４が当該要求をＨｅＮＢ−ＧＷ２０３へ通知する際のメッセージである。
【００５７】
Ｓ１メッセージ処理部３２２は、ＨＯメッセージ転送先決定部３２４を有する。ＨＯメッセージ転送先決定部３２４は、ＭｅＮＢ２０２からＨＡＮＤＯＶＥＲ  ＲＥＱＵＥＳＴを受信すると、まず、メモリ３３０内のＳ１管理テーブルＴＢから、ＨＯ  ｂｉｔ情報フィールドにビットの指定がないｅＮＢ  ＩＤ（ＨｅＮＢ２０１）を抽出する。
【００５８】
ＨＯメッセージ転送先決定部３２４は、抽出したｅＮＢ  ＩＤの中にＨＡＮＤＯＶＥＲ  ＲＥＱＵＥＳＴのＩＥ：Ｔａｒｇｅｔ  Ｃｅｌｌ  ＩＤと完全一致するｅＮＢ  ＩＤが存在するか否かを判定する。完全一致するｅＮＢ  ＩＤが存在する場合、ＨＯメッセージ転送先決定部３２４は、ＨＡＮＤＯＶＥＲ  ＲＥＱＵＥＳＴの転送先として、当該ｅＮＢ  ＩＤを収容するＨｅＮＢ２０１に決定する。
【００５９】
また、完全一致するｅＮＢ  ＩＤが存在しない場合、ＨＯメッセージ転送先決定部３２４は、メモリ３３０内のＳ１管理テーブルＴＢからＨＯ  ｂｉｔ情報として、例えば２７ビットが指定されているｅＮＢ  ＩＤを抽出する。抽出したｅＮＢ  ＩＤの中に、ＨＡＮＤＯＶＥＲ  ＲＥＱＵＥＳＴのＩＥ：Ｔａｒｇｅｔ  Ｃｅｌｌ  ＩＤと上位２７ビットが前方一致するｅＮＢ  ＩＤが存在すれば、ＨＡＮＤＯＶＥＲ  ＲＥＱＵＥＳＴを、当該ｅＮＢ  ＩＤを収容するＨｅＮＢ２０１に転送する。
【００６０】
また、２７ビットが前方一致するｅＮＢ  ＩＤが存在しない場合、ＨＯメッセージ転送先決定部３２４は、メモリ３３０内のＳ１管理テーブルＴＢからＨＯ  ｂｉｔフィールドに、例えば２６ビットが指定されているｅＮＢ  ＩＤを抽出する。抽出したｅＮＢ  ＩＤの中に、ＨＡＮＤＯＶＥＲ  ＲＥＱＵＥＳＴのＩＥ：Ｔａｒｇｅｔ  Ｃｅｌｌ  ＩＤと上位２６ビットが前方一致するｅＮＢ  ＩＤが存在すれば、ＨＡＮＤＯＶＥＲ  ＲＥＱＵＥＳＴを、当該ｅＮＢ  ＩＤを収容するＨｅＮＢ２０１に転送する。以降、ＨＯメッセージ転送先決定部３２４は、上位のビット数を順次下げて同様の動作を行う。
【００６１】
ただし、Ｓ１管理テーブルＴＢのうちの所定ビット数まで前方一致の判定を行ったとしても該当するｅＮＢ  ＩＤが存在しない場合、ＨｅＮＢ−ＧＷ２０３は、例えば、ＨＡＮＤＯＶＥＲ  ＲＥＱＵＥＳＴを破棄する。この場合、ＨｅＮＢ−ＧＷ２０３は、ＭＭＥ側Ｓ１送受信部３１２から、失敗を示すＨＡＮＤＯＶＥＲ  ＦＡＩＬＵＲＥをＭＭＥ２０４へ送信してもよい。
【００６２】
図１に示した記憶部１１１は、例えばメモリ３３０によって実現される。また、転送制御部１１２は、例えば伝送インタフェース３１０およびＣＰＵ３２０によって実現される。対応情報１１３は、例えばＳ１管理テーブルＴＢによって実現される。
【００６３】
（Ｓ１ＡＰ：Ｓ１  ＳＥＴＵＰ  ＲＥＱＵＥＳＴの一例）
図４は、Ｓ１ＡＰ：Ｓ１  ＳＥＴＵＰ  ＲＥＱＵＥＳＴの一例を示す図である。図４に示すＳ１  ＳＥＴＵＰ  ＲＥＱＵＥＳＴは、３ＧＰＰ  ＴＳ  ３６．４１３で規格化されている。Ｓ１  ＳＥＴＵＰ  ＲＥＱＵＥＳＴは、パラメータを示す「ＩＥ／Ｇｒｏｕｐ  Ｎａｍｅ」と、必須のパラメータであるか否かを示す「Ｐｒｅｓｅｎｃｅ」と、を含む。
【００６４】
「ＩＥ／Ｇｒｏｕｐ  Ｎａｍｅ」は、「Ｍｅｓｓａｇｅ  Ｔｙｐｅ」や、「Ｇｌｏｂａｌ  ｅＮＢ  ＩＤ」といった各種パラメータを含む。「Ｐｒｅｓｅｎｃｅ」において「Ｍ」は、必須のパラメータであることを示す。また、「Ｐｒｅｓｅｎｃｅ」において「Ｏ」は、オプションパラメータを示す。また、「ＩＥ／Ｇｒｏｕｐ  Ｎａｍｅ」において、「Ｐｒｅｓｅｎｃｅ」の空白に対応するものは、パラメータではなく、下段の「＞」のパラメータのまとまりである階層構造を示している。例えば、オプションパラメータは、膨大であるため、図４においては省略している。
【００６５】
Ｓ１  ＳＥＴＵＰ  ＲＥＱＵＥＳＴにおいて、符号４０１に示す「ｅＮＢ  Ｎａｍｅ」は、オプションパラメータである。「ｅＮＢ  Ｎａｍｅ」は、使用頻度が低いため、セル間で共通化された上位ビット数の指定を示す情報を記憶させることができる。また、上位ビット数の指定を示す情報の記憶に用いるパラメータは、ｅＮＢ  Ｎａｍｅに限らず、使用頻度の低いパラメータであればよい。例えば、符号４０２に示す「ＣＳＧ  Ｉｄ」とすることも可能である。
【００６６】
（ＨｅＮＢ−ＧＷが行うＳ１管理テーブルの登録処理の一例）
図５は、ＨｅＮＢ−ＧＷが行うＳ１管理テーブルの登録処理の一例を示すフローチャートである。図５に示すように、ＨｅＮＢ−ＧＷ２０３は、ＨｅＮＢ２０１から、Ｓ１  ＳＥＴＵＰ  ＲＥＱＵＥＳＴを受信したか否かを判定する（ステップＳ５０１）。ＨｅＮＢ−ＧＷ２０３は、Ｓ１  ＳＥＴＵＰ  ＲＥＱＵＥＳＴを受信するまで待機する（ステップＳ５０１：Ｎｏ）。Ｓ１  ＳＥＴＵＰ  ＲＥＱＵＥＳＴを受信すると（ステップＳ５０１：Ｙｅｓ）、ＨｅＮＢ−ＧＷ２０３は、受信したＳ１  ＳＥＴＵＰ  ＲＥＱＵＥＳＴに、ＩＥ：ｅＮＢ  Ｎａｍｅが含まれているか否かを判定する（ステップＳ５０２）。
【００６７】
受信したＳ１  ＳＥＴＵＰ  ＲＥＱＵＥＳＴに、ＩＥ：ｅＮＢ  Ｎａｍｅが含まれている場合（ステップＳ５０２：Ｙｅｓ）、ＨｅＮＢ−ＧＷ２０３は、ＨＯ処理に利用できる情報であるか否かを判定する（ステップＳ５０３）。
【００６８】
ＨＯ処理に利用できる情報とは、例えば２７ビットや２６ビットといった、セル間において共通化された上位ビット数を示す情報である。ＨＯ処理に利用できる情報である場合（ステップＳ５０３：Ｙｅｓ）、ＨｅＮＢ−ＧＷ２０３は、ＨＯ  ｂｉｔ情報を含むＳ１情報をＳ１管理テーブルＴＢに登録する（ステップＳ５０４）。これにより、Ｓ１管理テーブルＴＢに、例えば、ｅＮＢ  ＩＤや、ＴＡＣや、ＰＬＭＮや、ＨＯ  ｂｉｔ情報などのＳ１情報を登録することができる。
【００６９】
次に、ＨｅＮＢ−ＧＷ２０３は、Ｓ１  ＳＥＴＵＰ  ＲＥＱＵＥＳＴの受信完了を示す、Ｓ１  ＳＥＴＵＰ  ＲＥＳＰＯＮＳＥをＨｅＮＢ２０１へ送信し（ステップＳ５０５）、一連の処理を終了する。ステップＳ５０２において、ＩＥ：ｅＮＢ  Ｎａｍｅが含まれていない場合（ステップＳ５０２：Ｎｏ）、例えば、ＨｅＮＢ２０１が複数セルを収容しない場合などのＩＥ：ｅＮＢ  Ｎａｍｅが空の場合、ＨｅＮＢ−ＧＷ２０３は、ステップＳ５０６に移行する。また、ステップＳ５０３において、ＨＯ処理に利用できる情報ではない場合（ステップＳ５０３：Ｎｏ）、例えば、ＨｅＮＢ２０１が収容するセル間で共通化された上位ビット数を示す情報である場合、ＨｅＮＢ−ＧＷ２０３は、ステップＳ５０６に移行する。
【００７０】
ステップＳ５０６では、ＨｅＮＢ−ＧＷ２０３は、ＨＯ  ｂｉｔ情報を除くＳ１情報をＳ１管理テーブルＴＢに登録する（ステップＳ５０６）。これにより、例えば、Ｓ１管理テーブルＴＢに、ＨＯ  ｂｉｔ情報を除く、ｅＮＢ  ＩＤや、ＴＡＣや、ＰＬＭＮなどのＳ１情報を登録することができる。この後、ＨｅＮＢ−ＧＷ２０３は、ステップＳ５０５に移行する。
【００７１】
（Ｓ１ＡＰ：ＥＮＢ  ＣＯＮＦＩＧＵＲＡＴＩＯＮ  ＵＰＤＡＴＥの一例）
図６は、Ｓ１ＡＰ：ＥＮＢ  ＣＯＮＦＩＧＵＲＡＴＩＯＮ  ＵＰＤＡＴＥの一例を示す図である。図６の説明において、上述した図４のＳ１  ＳＥＴＵＰ  ＲＥＱＵＥＳＴと同様の点については説明を省略する。図６に示すＥＮＢ  ＣＯＮＦＩＧＵＲＡＴＩＯＮ  ＵＰＤＡＴＥは、３ＧＰＰ  ＴＳ  ３６．４１３で規格化されている。
【００７２】
ＥＮＢ  ＣＯＮＦＩＧＵＲＡＴＩＯＮ  ＵＰＤＡＴＥにおいて、符号６０１に示す「ｅＮＢ  Ｎａｍｅ」や、符号６０２に示す「Ｄｅｆａｕｌｔ  Ｐａｇｉｎｇ  ＤＲＸ」は、オプションパラメータである。また、「ｅＮＢ  Ｎａｍｅ」は、使用頻度が低いため、上位ビット数の指定を示す情報を記憶させることが可能である。また、上位ビット数の指定を示す情報の記憶に用いるパラメータは、ｅＮＢ  Ｎａｍｅに限らず、使用頻度の低いパラメータであればよい。例えば、符号６０３に示す「ＣＳＧ  Ｉｄ」とすることも可能である。
【００７３】
（ＨｅＮＢ−ＧＷが行うＳ１管理テーブルの更新処理の一例）
図７は、ＨｅＮＢ−ＧＷが行うＳ１管理テーブルの更新処理の一例を示すフローチャートである。図７に示すように、ＨｅＮＢ−ＧＷ２０３は、ＨｅＮＢ２０１から、ＥＮＢ  ＣＯＮＦＩＧＵＲＡＴＩＯＮ  ＵＰＤＡＴＥを受信したか否かを判定する（ステップＳ７０１）。ＨｅＮＢ−ＧＷ２０３は、ＥＮＢ  ＣＯＮＦＩＧＵＲＡＴＩＯＮ  ＵＰＤＡＴＥを受信するまで待機する（ステップＳ７０１：Ｎｏ）。ＥＮＢ  ＣＯＮＦＩＧＵＲＡＴＩＯＮ  ＵＰＤＡＴＥを受信すると（ステップＳ７０１：Ｙｅｓ）、ＨｅＮＢ−ＧＷ２０３は、受信したＥＮＢ  ＣＯＮＦＩＧＵＲＡＴＩＯＮ  ＵＰＤＡＴＥに、ＩＥ：ｅＮＢ  Ｎａｍｅが含まれているか否かを判定する（ステップＳ７０２）。
【００７４】
受信したＥＮＢ  ＣＯＮＦＩＧＵＲＡＴＩＯＮ  ＵＰＤＡＴＥに、ＩＥ：ｅＮＢ  Ｎａｍｅが含まれている場合（ステップＳ７０２：Ｙｅｓ）、ＨｅＮＢ−ＧＷ２０３は、ＨＯ処理に利用できる情報であるか否かを判定する（ステップＳ７０３）。ＨＯ処理に利用できる情報とは、例えば２７ビットや２６ビットといった、セル間において共通化された上位ビット数を示す情報である。
【００７５】
ＨＯ処理に利用できる情報である場合（ステップＳ７０３：Ｙｅｓ）、ＨｅＮＢ−ＧＷ２０３は、Ｓ１管理テーブルＴＢのＨＯ  ｂｉｔ情報を含むＳ１情報を更新する（ステップＳ７０４）。これにより、Ｓ１管理テーブルＴＢのＳ１情報が更新され、例えば、ＨＯ  ｂｉｔ情報が登録または更新される。
【００７６】
次に、ＨｅＮＢ−ＧＷ２０３は、ＥＮＢ  ＣＯＮＦＩＧＵＲＡＴＩＯＮ  ＵＰＤＡＴＥ  ＡＣＫＮＯＷＬＥＤＧＥをＨｅＮＢ２０１へ送信し（ステップＳ７０５）、一連の処理を終了する。ステップＳ７０２においてＩＥ：ｅＮＢ  Ｎａｍｅが含まれていない場合（ステップＳ７０２：Ｎｏ）や、ステップＳ７０３においてＨＯ処理に利用できる情報ではない場合（ステップＳ７０３：Ｎｏ）、ＨｅＮＢ−ＧＷ２０３は、ステップＳ７０６に移行する。
【００７７】
ステップＳ７０６では、ＨｅＮＢ−ＧＷ２０３は、Ｓ１管理テーブルＴＢのＨＯ  ｂｉｔ情報を除くＳ１情報を更新する（ステップＳ７０６）。これにより、例えば、Ｓ１管理テーブルＴＢの、ＨＯ  ｂｉｔ情報を除く、ｅＮＢ  ＩＤや、ＴＡＣや、ＰＬＭＮなどのＳ１情報が更新される。次に、ＨｅＮＢ−ＧＷ２０３は、ステップＳ７０５に移行する。
【００７８】
（Ｓ１管理テーブルの更新の一例）
図８は、Ｓ１管理テーブルの更新の一例を示す図（その１）である。図９は、Ｓ１管理テーブルの更新の一例を示す図（その２）である。図１０は、Ｓ１管理テーブルの更新の一例を示す図（その３）である。
【００７９】
図８の（Ａ）では、ＨＯ  ｂｉｔ情報を含まないＳ１  ＳＥＴＵＰ  ＲＥＱＵＥＳＴを既に受信したことにより、Ｓ１管理テーブルＴＢには、ＨＯ  ｂｉｔ情報を除くＳ１情報が登録されている。（Ａ）を記憶している状態において、ＨＯ  ｂｉｔ情報を含むＥＮＢ  ＣＯＮＦＩＧＵＲＡＴＩＯＮ  ＵＰＤＡＴＥ（図６参照）を受信したとする。この場合、（Ｂ）に示すように、Ｓ１管理テーブルＴＢのＨＯ  ｂｉｔ情報を含むＳ１情報が更新され、例えば、ＨＯ  ｂｉｔ情報が登録される。
【００８０】
また、図９の（Ａ）では、ＨＯ  ｂｉｔ情報を含むＳ１  ＳＥＴＵＰ  ＲＥＱＵＥＳＴを既に受信したことにより、Ｓ１管理テーブルＴＢには、ＨＯ  ｂｉｔ情報を含むＳ１情報が登録されている。（Ａ）を記憶している状態において、ＨＯ  ｂｉｔ情報を含むＥＮＢ  ＣＯＮＦＩＧＵＲＡＴＩＯＮ  ＵＰＤＡＴＥを受信したとする。この場合、（Ｂ）に示すように、Ｓ１管理テーブルＴＢのＨＯ  ｂｉｔ情報を含むＳ１情報が更新される。
【００８１】
また、図１０の（Ａ）では、ＨＯ  ｂｉｔ情報を含まないＳ１  ＳＥＴＵＰ  ＲＥＱＵＥＳＴを既に受信したことにより、Ｓ１管理テーブルＴＢには、ＨＯ  ｂｉｔ情報を除くＳ１情報が登録されている。（Ａ）を記憶している状態において、ＨＯ  ｂｉｔ情報を含まないＥＮＢ  ＣＯＮＦＩＧＵＲＡＴＩＯＮ  ＵＰＤＡＴＥを受信したとする。この場合、（Ｂ）に示すように、Ｓ１管理テーブルＴＢのＨＯ  ｂｉｔ情報を除くＳ１情報が更新される。
【００８２】
（ハンドオーバ時における小基地局システムの転送動作の一例）
図１１は、ハンドオーバ時における小基地局システムの転送動作の一例を示す図である。図１１において、ＵＥ１１０１は、ＭｅＮＢ２０２に収容されており、ＭｅＮＢ２０２と接続している。また、ＵＥ１１０１の近傍には、ＨｅＮＢ２０１がある。ＨｅＮＢ２０１は、Ｃｅｌｌ  Ｉｄｅｎｔｉｔｙが（０ｘ１１１１１２２）のＳセル（セカンダリセル）と、Ｃｅｌｌ  Ｉｄｅｎｔｉｔｙが（０ｘ１１１１１３３）Ｐセル（プライマリセル）との複数のセルを収容する。なお、図１１においては、Ｃｅｌｌ  Ｉｄｅｎｔｉｔｙを１６進数で表している。
【００８３】
この状態において、ＵＥ１１０１が、ＨｅＮＢ２０１の複数のセルのうちの、電波状態が良好なＳセルを測定したとする。この場合、ＵＥ１１０１は、測定結果（図１２参照）として、ＳセルのＣｅｌｌ  Ｉｄｅｎｔｉｔｙ（０ｘ１１１１１２２）（＝ｅＮＢ  ＩＤ）をＭｅＮＢ２０２へ送信する。また、ＵＥ１１０１は、Ｃｅｌｌ  ＩｄｅｎｔｉｔｙとともにＴＡＩ（トラッキングエリアＩＤ）情報（＝４４）も送信する。なお、ＴＡＩ情報は、ＭＭＥ２０４がＨＡＮＤＯＶＥＲ  ＲＥＱＵＥＳＴの送信先を決定するためのＴＡＩルーティングにおいて用いられる。
【００８４】
ＭｅＮＢ２０２は、ＵＥ１１０１から測定結果を受信すると、ｅＮＢ  ＩＤ＝０ｘ１１１１１２２，ＴＡＩ＝４４のＨｅＮＢ２０１宛の、Ｔａｒｇｅｔ  Ｃｅｌｌ  ＩＤ＝０ｘ１１１１１２２としたＨＡＮＤＯＶＥＲ  ＲＥＱＵＩＲＥＤをＭＭＥ２０４へ送信する。そして、ＭＭＥ２０４は、ＭｅＮＢ２０２から、ＨＡＮＤＯＶＥＲ  ＲＥＱＵＩＲＥＤを受信すると、ＨＡＮＤＯＶＥＲ  ＲＥＱＵＥＳＴをＨｅＮＢ−ＧＷ２０３へ送信する。
【００８５】
ＭＭＥ２０４は、ＨｅＮＢ２０１のｅＮＢ  ＩＤ（０ｘ１１１１１２２）ついては管理していないものの、上位２０ビットのｅＮＢ  ＩＤと、ＴＡＩ＝４４のＨｅＮＢ２０１と、については管理している。このため、ＨＡＮＤＯＶＥＲ  ＲＥＱＵＥＳＴには、例えば、ｅＮＢ  ＩＤ＝０ｘ１１１１１と、ＴＡＩ＝４４と、Ｔａｒｇｅｔ  Ｃｅｌｌ  ＩＤ＝０ｘ１１１１１２２と、が含まれる。また、ＭＭＥ２０４は、ＴＡＩルーティングを行うことにより、転送先のＨｅＮＢ−ＧＷ２０３を決定することができる。
【００８６】
ＴＡＩルーティングは、ＭＭＥ２０４がＨＡＮＤＯＶＥＲ  ＲＥＱＵＩＲＥＤを受信した後のＨＡＮＤＯＶＥＲ  ＲＥＱＵＥＳＴの送信先をｅＮＢ  ＩＤではなく、ＴＡＩによって決定する手法である。例えば、ＨｅＮＢ−ＧＷ２０３の配下のＨｅＮＢ２０１が利用しているＴＡＩは、他の基地局や他のＨｅＮＢ−ＧＷ２０３の配下のＨｅＮＢ２０１では使用されない固有の情報である。このため、ＭＭＥ２０４は、ＴＡＩ＝４４のＨｅＮＢ−ＧＷ２０３へＨＡＮＤＯＶＥＲ  ＲＥＱＵＥＳＴを転送することができる。
【００８７】
ＨｅＮＢ−ＧＷ２０３は、ＭＭＥ２０４からＨＡＮＤＯＶＥＲ  ＲＥＱＵＥＳＴを受信する。ＨｅＮＢ−ＧＷ２０３は、Ｓ１管理テーブルＴＢを参照し、Ｔａｒｇｅｔ  Ｃｅｌｌ  ＩＤと２８ビット全てが完全一致するｅＮＢ  ＩＤがあるか否かを判定する。Ｔａｒｇｅｔ  Ｃｅｌｌ  ＩＤと２８ビット全てが完全一致するｅＮＢ  ＩＤがあれば、ＨｅＮＢ−ＧＷ２０３は、当該ｅＮＢ  ＩＤ（＝Ｃｅｌｌ  Ｉｄｅｎｔｉｔｙ）が付与されたセルを収容するＨｅＮＢ２０１にＨＡＮＤＯＶＥＲ  ＲＥＱＵＥＳＴを転送する。
【００８８】
一方、ＨｅＮＢ−ＧＷ２０３は、Ｔａｒｇｅｔ  Ｃｅｌｌ  ＩＤと２８ビット全てが完全一致するｅＮＢ  ＩＤがない場合、Ｔａｒｇｅｔ  Ｃｅｌｌ  ＩＤと前方一致するｅＮＢ  ＩＤを探索する。前方一致するｅＮＢ  ＩＤがない場合には、前方一致の判定における上位ビット数のビット数を減少させる。
【００８９】
例えば、Ｔａｒｇｅｔ  Ｃｅｌｌ  ＩＤの上位２７ビットが前方一致するｅＮＢ  ＩＤを探索し、該当するｅＮＢ  ＩＤがない場合には、前方一致の判定対象とするＨＯ  ｂｉｔ情報を２６に減少させる。さらに、Ｔａｒｇｅｔ  Ｃｅｌｌ  ＩＤの上位２６ビットが前方一致するｅＮＢ  ＩＤを探索し、該当するｅＮＢ  ＩＤがない場合には、前方一致の判定対象とするＨＯ  ｂｉｔ情報を２５に減少させる。以降も前方一致しない場合には、前方一致の判定対象のＨＯ  ｂｉｔ情報を順次減少させていく。
【００９０】
例えば、ＨｅＮＢ−ＧＷ２０３は、ＨＯ  ｂｉｔ情報が２３に設定されたＨｅＮＢ２０１のｅＮＢ  ＩＤと、Ｔａｒｇｅｔ  Ｃｅｌｌ  ＩＤとの上位２３ビット（＝０ｘ１１１１１）が一致するｅＮＢ  ＩＤ（＝０ｘ１１１１１３３）を探索によって得たとする。この場合、ＨｅＮＢ−ＧＷ２０３は、上位２３ビットに０ｘ１１１１１を含むｅＮＢ  ＩＤ（＝０ｘ１１１１１３３）が付与されたセルを収容するＨｅＮＢ２０１を転送先に決定する。そして、ＨｅＮＢ−ＧＷ２０３は、決定したＨｅＮＢ２０１へＨＡＮＤＯＶＥＲ  ＲＥＱＵＥＳＴを転送する。
【００９１】
ＨｅＮＢ２０１は、ＨｅＮＢ−ＧＷ２０３からＨＡＮＤＯＶＥＲ  ＲＥＱＵＥＳＴを受信する。ＨｅＮＢ２０１は、収容する複数のセルのうち、Ｔａｒｇｅｔ  Ｃｅｌｌ  ＩＤ（＝０ｘ１１１１１２２）と同じＣｅｌｌ  Ｉｄｅｎｔｉｔｙ（＝０ｘ１１１１１２２）が付与されたセルを識別することができる。このため、ＵＥ１１０１は、電波状態が良好なＣｅｌｌ  Ｉｄｅｎｔｉｔｙ（＝０ｘ１１１１１２２）のセルにハンドオーバを行うことができる。
【００９２】
（ＵＥがＭｅＮＢへ通知する測定結果の一例）
図１２は、ＵＥがＭｅＮＢへ通知する測定結果の一例を示す図である。図１２に示す測定結果は、３ＧＰＰ  ＴＳ  ３６．３３１で規格化されている。図１２に示すメッセージは、ＵＥ１１０１がＨｅＮＢ２０１のＳセルにハンドオーバを行うときに、在圏しているＭｅＮＢ２０２に伝えるメッセージである。
【００９３】
符号１２０１に示すｍｅａｓＲｅｓｕｌｔＮｅｉｇｈＣｅｌｌｓは、ＵＥ１１０１が測定した周囲のセルの測定結果の中で接続対象の候補となる隣接セルを示している。例えば、ＥＵＴＲＡ、ＵＴＲＡ、ＧＥＲＡＮ、ＣＤＭＡ２０００、といった通信方式がある。符号１２０２は、このような複数の通信方式のうち、ＥＵＴＲＡ（ＬＴＥ）を見つけたことを示している。
【００９４】
符号１２０３に示すように、ＥＵＴＲＡは、ｐｈｙｓＣｅｌｌＩｄ（フィジカルセルＩＤ）とｃｇｉとを含む。ｃｇｉは、ｃｅｌｌＧｌｏｂａｌＩｄ、ｔｒａｃｋｉｎｇＡｒｅａＣｏｄｅを含む。また、符号１２０４に示すように、ｃｅｌｌＧｌｏｂａｌＩｄは、ｐｌｍｎ−Ｉｄｅｎｔｉｔｙと、ｃｅｌｌＩｄｅｎｔｉｔｙとを含む。ｃｅｌｌＩｄｅｎｔｉｔｙは、２８ビットで表される。このような測定結果が、ＵＥ１１０１からＭｅＮＢ２０２へ送信される。
【００９５】
（Ｓ１ＡＰ：ＨＡＮＤＯＶＥＲ  ＲＥＱＵＩＲＥＤの一例）
図１３は、Ｓ１ＡＰ：ＨＡＮＤＯＶＥＲ  ＲＥＱＵＩＲＥＤの一例を示す図である。図１３の説明において、上述した図４のＳ１  ＳＥＴＵＰ  ＲＥＱＵＥＳＴ等と同様の点については説明を省略する。図１３に示すＨＡＮＤＯＶＥＲ  ＲＥＱＵＩＲＥＤは、３ＧＰＰ  ＴＳ  ３６．４１３で規格化されている。
【００９６】
ＨＡＮＤＯＶＥＲ  ＲＥＱＵＩＲＥＤにおいて、符号１３０１に示す「Ｔａｒｇｅｔ  ｅＮＢ−ＩＤ」は、例えば、図１２の符号１２０４に示したｃｅｌｌＧｌｏｂａｌＩｄに相当する。符号１３０１に示す「Ｔａｒｇｅｔ  ｅＮＢ−ＩＤ」は、下階層に、「Ｇｌｏｂａｌ  ｅＮＢ  ＩＤ」と、「Ｓｅｌｅｃｔｅｄ  ＴＡＩ」とを含む。「Ｇｌｏｂａｌ  ｅＮＢ  ＩＤ」は、例えば、図１２の符号１２０３に示したｃｅｌｌＧｌｏｂａｌＩｄと同等の値であり、２８ビットで表される。また、符号１３０２に示す「Ｔａｒｇｅｔ  Ｃｅｌｌ−ＩＤ」も、図１２の符号１２０３に示したｃｅｌｌＧｌｏｂａｌＩｄと同等の値であり、２８ビットで表される。
【００９７】
また、符号１３０１に示す「Ｔａｒｇｅｔ  ｅＮＢ−ＩＤ」の「Ｓｅｌｅｃｔｅｄ  ＴＡＩ」は、ＴＡＩルーティングに用いられるＴＡＩを示している。「Ｓｅｌｅｃｔｅｄ  ＴＡＩ」は、図１２の符号１２０４に示したｐｌｍｎ−Ｉｄｅｎｔｉｔｙと、符号１２０３に示したｔｒａｃｋｉｎｇＡｒｅａＣｏｄｅと、の組み合わせによって表される。このような、ＨＡＮＤＯＶＥＲ  ＲＥＱＵＩＲＥＤが、ＭｅＮＢ２０２からＭＭＥ２０４へ送信される。
【００９８】
（Ｓ１ＡＰ：ＨＡＮＤＯＶＥＲ  ＲＥＱＵＥＳＴの一例）
図１４は、Ｓ１ＡＰ：ＨＡＮＤＯＶＥＲ  ＲＥＱＵＥＳＴの一例を示す図である。図１４の説明において、上述した図４のＳ１  ＳＥＴＵＰ  ＲＥＱＵＥＳＴ等と同様の点については説明を省略する。図１４に示すＨＡＮＤＯＶＥＲ  ＲＥＱＵＥＳＴは、３ＧＰＰ  ＴＳ  ３６．４１３で規格化されている。
【００９９】
ＨＡＮＤＯＶＥＲ  ＲＥＱＵＥＳＴにおいて、符号１４０１に示す「Ｔａｒｇｅｔ  Ｃｅｌｌ  ＩＤ」は、例えば、図１３の符号１３０２に示した「Ｔａｒｇｅｔ  Ｃｅｌｌ−ＩＤ」と同等の値であり、２８ビットで表される。このような、ＨＡＮＤＯＶＥＲ  ＲＥＱＵＥＳＴが、ＭＭＥ２０４からＨｅＮＢ−ＧＷ２０３へ、または、ＨｅＮＢ−ＧＷ２０３からＨｅＮＢ２０１へ、送信される。
【０１００】
（ＨｅＮＢ−ＧＷが行う転送制御処理の一例）
図１５Ａは、ＨｅＮＢ−ＧＷが行う転送制御処理の一例を示すフローチャート（その１）である。図１５Ｂは、ＨｅＮＢ−ＧＷが行う転送制御処理の一例を示すフローチャート（その２）である。図１５Ａおよび図１５Ｂに示すように、ＨｅＮＢ−ＧＷ２０３は、ＭＭＥ２０４から、ＨＡＮＤＯＶＥＲ  ＲＥＱＵＥＳＴを受信したか否かを判定する（ステップＳ１５０１）。ＨｅＮＢ−ＧＷ２０３は、ＨＡＮＤＯＶＥＲ  ＲＥＱＵＥＳＴを受信するまで待機する（ステップＳ１５０１：Ｎｏ）。ＨＡＮＤＯＶＥＲ  ＲＥＱＵＥＳＴを受信すると（ステップＳ１５０１：Ｙｅｓ）、ＨｅＮＢ−ＧＷ２０３は、Ｓ１管理テーブルＴＢを確認する（ステップＳ１５０２）。
【０１０１】
次に、ＨｅＮＢ−ＧＷ２０３は、収容するｎ個のＨｅＮＢ２０１の値を示すｉ（ｉ＝１〜ｎ）に「１」を設定する（ステップＳ１５０３）。次に、ＨｅＮＢ−ＧＷ２０３は、ｎ個のうちのｉ番目のＨｅＮＢ２０１を選択する（ステップＳ１５０４）。
【０１０２】
そして、ＨｅＮＢ−ＧＷ２０３は、ＩＥ：Ｔａｒｇｅｔ  Ｃｅｌｌ  ＩＤ（図１４の符号１４０１参照）と、Ｓ１管理テーブルＴＢのｅＮＢ  ＩＤとが完全一致するＨｅＮＢ２０１があるか否かを判定する（ステップＳ１５０５）。完全一致するＨｅＮＢ２０１がある場合（ステップＳ１５０５：Ｙｅｓ）、ＨｅＮＢ−ＧＷ２０３は、一致したＨｅＮＢ２０１にＨＡＮＤＯＶＥＲ  ＲＥＱＵＥＳＴを転送し（ステップＳ１５１９）、一連の処理を終了する。
【０１０３】
ＩＥ：Ｔａｒｇｅｔ  Ｃｅｌｌ  ＩＤと、Ｓ１管理テーブルＴＢのｅＮＢ  ＩＤとが完全一致しない場合（ステップＳ１５０５：Ｎｏ）、ＨｅＮＢ−ＧＷ２０３は、ｉに「１」を加算する（ステップＳ１５０６）。そして、ＨｅＮＢ−ＧＷ２０３は、ｉがｎより大きいか否かを判定する（ステップＳ１５０７）。ｉがｎ以下である場合（ステップＳ１５０７：Ｎｏ）、ＨｅＮＢ−ＧＷ２０３は、ステップＳ１５０４へ移行する。
【０１０４】
ｉがｎより大きい場合（ステップＳ１５０７：Ｙｅｓ）、ＨｅＮＢ−ＧＷ２０３は、ビット数「２８」からの減算数であるＩに「１」をセットする（ステップＳ１５０８）。そして、ＨｅＮＢ−ＧＷ２０３は、ビット数「２８」からＩを減算する（ステップＳ１５０９）。そして、ＨｅＮＢ−ＧＷ２０３は、Ｓ１管理テーブルＴＢに、ビット数「２８」からＩを減算した値に一致するＨＯ  ｂｉｔ情報があるか否かを判定する（ステップＳ１５１０）。
【０１０５】
ビット数「２８」からＩを減算した値に一致するＨＯ  ｂｉｔ情報がない場合（ステップＳ１５１０：Ｎｏ）、ＨｅＮＢ−ＧＷ２０３は、ステップＳ１５１６へ移行する。ビット数「２８」からＩを減算した値に一致するＨＯ  ｂｉｔ情報がある場合（ステップＳ１５１０：Ｙｅｓ）、ＨｅＮＢ−ＧＷ２０３は、収容するｎ個のＨｅＮＢ−ＧＷ２０３の値を示すｉ（ｉ＝１〜ｎ）に「１」を設定する（ステップＳ１５１１）。次に、ＨｅＮＢ−ＧＷ２０３は、ｎ個のうちのｉ番目のＨｅＮＢ２０１を選択する（ステップＳ１５１２）。
【０１０６】
そして、ＨｅＮＢ−ＧＷ２０３は、ＩＥ：Ｔａｒｇｅｔ  Ｃｅｌｌ  ＩＤと、Ｓ１管理テーブルＴＢのｅＮＢ  ＩＤとが前方一致するＨｅＮＢ２０１があるか否かを判定する（ステップＳ１５１３）。ＩＥ：Ｔａｒｇｅｔ  Ｃｅｌｌ  ＩＤと、Ｓ１管理テーブルＴＢのｅＮＢ  ＩＤとが前方一致するＨｅＮＢ２０１がある場合（ステップＳ１５１３：Ｙｅｓ）、ＨｅＮＢ−ＧＷ２０３は、ステップＳ１５１９へ移行する。
【０１０７】
ＩＥ：Ｔａｒｇｅｔ  Ｃｅｌｌ  ＩＤと、Ｓ１管理テーブルＴＢのｅＮＢ  ＩＤとが前方一致するＨｅＮＢ２０１がない場合（ステップＳ１５１３：Ｎｏ）、ＨｅＮＢ−ＧＷ２０３は、ｉに「１」を加算する（ステップＳ１５１４）。そして、ＨｅＮＢ−ＧＷ２０３は、ｉがｎより大きいか否かを判定する（ステップＳ１５１５）。ｉがｎ以下である場合（ステップＳ１５１５：Ｎｏ）、ＨｅＮＢ−ＧＷ２０３は、ステップＳ１５１２へ移行する。ｉがｎより大きい場合（ステップＳ１５１５：Ｙｅｓ）、ＨｅＮＢ−ＧＷ２０３は、Ｉに「１」を加算する（ステップＳ１５１６）。
【０１０８】
次に、ＨｅＮＢ−ＧＷ２０３は、Ｉが所定値αより大きいか否かを判定する（ステップＳ１５１７）。所定値αは、例えば０〜２７の任意の整数とすることができる。Ｉが所定値α以下である場合（ステップＳ１５１７：Ｎｏ）、ＨｅＮＢ−ＧＷ２０３は、ステップＳ１５０９へ移行する。Ｉが所定値αより大きい場合（ステップＳ１５１７：Ｙｅｓ）、ＨｅＮＢ−ＧＷ２０３は、ＨＡＮＤＯＶＥＲ  ＲＥＱＵＥＳＴを破棄し（ステップＳ１５１８）、不図示であるが、ＭＭＥ２０４にＨＡＮＤＯＶＥＲ  ＦＡＩＬＵＲＥを送信し、一連の処理を終了する。
【０１０９】
（ＨｅＮＢ−ＧＷの転送制御処理によって識別できるｅＮＢ  ＩＤの一例）
図１６は、ＨｅＮＢ−ＧＷの転送制御処理において識別できるｅＮＢ  ＩＤの一例を示す説明図である。図１６に示すように、ＨｅＮＢ−ＧＷ２０３は、Ｓ１管理テーブルＴＢから、ＨＯ  ｂｉｔ情報がないｅＮＢ  ＩＤ（ＨｅＮＢ２０１）を抽出する。そして、Ｓ１管理テーブルＴＢに、Ｔａｒｇｅｔ  Ｃｅｌｌ  ＩＤと完全一致するｅＮＢ  ＩＤがあるか否かを判定する（図１５ＡのステップＳ１５０５と同様）。
【０１１０】
Ｓ１管理テーブルＴＢに、Ｔａｒｇｅｔ  Ｃｅｌｌ  ＩＤと完全一致するｅＮＢ  ＩＤがある場合、ＨｅＮＢ−ＧＷ２０３は、完全一致したｅＮＢ  ＩＤを収容するＨｅＮＢ２０１へＨＡＮＤＯＶＥＲ  ＲＥＱＵＥＳＴを送信する。完全一致するｅＮＢ  ＩＤがない場合、ＨｅＮＢ−ＧＷ２０３は、Ｓ１管理テーブルＴＢを参照し、Ｔａｒｇｅｔ  Ｃｅｌｌ  ＩＤと上位２７ビットが前方一致するｅＮＢ  ＩＤがあるか否かを判定する（図１５ＢのステップＳ１５１３と同様）。
【０１１１】
Ｓ１管理テーブルＴＢに、Ｔａｒｇｅｔ  Ｃｅｌｌ  ＩＤと上位２７ビットが一致するｅＮＢ  ＩＤがある場合、ＨｅＮＢ−ＧＷ２０３は、前方一致したｅＮＢ  ＩＤを収容するＨｅＮＢ２０１へＨＡＮＤＯＶＥＲ  ＲＥＱＵＥＳＴを送信する。例えば、ＨｅＮＢ２０１のセル間で共通化された前方一致の部分が２７ビットの場合、ｅＮＢ  ＩＤと末尾１桁が異なるＴａｒｇｅｔ  Ｃｅｌｌ  ＩＤを識別することができる。
【０１１２】
具体的には、末尾１桁が１のＴａｒｇｅｔ  Ｃｅｌｌ  ＩＤに対して、登録されているｅＮＢ  ＩＤの末尾１桁が０のものが前方一致として判定される。なお、ＨｅＮＢ２０１において、収容するセルのＣｅｌｌ  ＩｄｅｎｔｉｔｙとＴａｒｇｅｔ  Ｃｅｌｌ  ＩＤとの一致判定を行うことにより、Ｔａｒｇｅｔ  Ｃｅｌｌ  ＩＤを識別することができる。
【０１１３】
上位２７ビットが前方一致するｅＮＢ  ＩＤがない場合、ＨｅＮＢ−ＧＷ２０３は、Ｓ１管理テーブルＴＢのＨＯ  ｂｉｔ情報を参照し、Ｔａｒｇｅｔ  Ｃｅｌｌ  ＩＤと上位２６ビットが前方一致するｅＮＢ  ＩＤがあるか否かを判定する（図１５ＢのステップＳ１５１３と同様）。
【０１１４】
Ｓ１管理テーブルＴＢに、Ｔａｒｇｅｔ  Ｃｅｌｌ  ＩＤと上位２６ビットが前方一致するｅＮＢ  ＩＤがある場合、ＨｅＮＢ−ＧＷ２０３は、前方一致したｅＮＢ  ＩＤを収容するＨｅＮＢ２０１へＨＡＮＤＯＶＥＲ  ＲＥＱＵＥＳＴを転送する。
【０１１５】
例えば、ＨｅＮＢ２０１のセル間で共通化された前方一致の部分が２６ビットの場合、ｅＮＢ  ＩＤと末尾２桁が異なるＴａｒｇｅｔ  Ｃｅｌｌ  ＩＤを識別することができる。具体的には、末尾２桁が０１のＴａｒｇｅｔ  Ｃｅｌｌ  ＩＤに対して、登録されているｅＮＢ  ＩＤの末尾２桁が００，１０，１１となるものが前方一致として判定される。なお、ＨｅＮＢ２０１において、収容するセルのＣｅｌｌ  ＩｄｅｎｔｉｔｙとＴａｒｇｅｔ  Ｃｅｌｌ  ＩＤとの一致判定を行うことにより、Ｔａｒｇｅｔ  Ｃｅｌｌ  ＩＤを識別することができる。
【０１１６】
２５ビット以下については説明を省略するが、同様に前方一致の判定を行うことにより、前方一致したｅＮＢ  ＩＤを収容するＨｅＮＢ２０１へ、ＨＡＮＤＯＶＥＲ  ＲＥＱＵＥＳＴを転送できる。
【０１１７】
上述した実施の形態では、ＨｅＮＢ２０１宛のメッセージとして、ＨＡＮＤＯＶＥＲ  ＲＥＱＵＥＳＴを用いた場合について説明したが、これに限らず、ＩＥの内部に真の宛先をもつメッセージに適用することもできる。例えば、ＭＭＥ  ＤＩＲＥＣＴ  ＩＮＦＯＲＭＡＴＩＯＮ  ＴＲＡＮＳＦＥＲや、ＭＭＥ  ＣＯＮＦＩＧＵＲＡＴＩＯＮ  ＴＲＡＮＳＦＥＲに適用することもできる。
【０１１８】
以上説明したように、ＨｅＮＢ２０１が収容する複数セルの各セルＩＤを、末尾数ビットを除いて共通化し、該ＨｅＮＢ２０１を収容するＨｅＮＢ−ＧＷ２０３が、受信した信号のＴａｒｇｅｔ  Ｃｅｌｌ  ＩＤと前方一致するｅＮＢ  ＩＤを探索する。これにより、ＨｅＮＢ−ＧＷ２０３が信号の転送先のＨｅＮＢ２０１を識別することができる。
【０１１９】
また、ＨｅＮＢ２０１は、転送された信号を用いて、収容する複数のセルの中から信号の宛先となるセルを識別することができる。これにより、ＨｅＮＢ２０１は、例えば、ハンドオーバ処理を行うことができる。
【０１２０】
また、本実施の形態では、ＨｅＮＢ２０１が収容するセルの数に合わせて、各セル間で共通化する上位ビット数を可変にすることができる。このため、例えば、ＨｅＮＢ２０１が収容するセルの数が増えた場合には、２８ビットのうち、各セル間で共通化する上位ビット数を少なく、末尾のビットを増やすことができる。
【０１２１】
また、本実施の形態では、ＨｅＮＢ２０１に対して、２８ビットのうちの２０ビットをＨｅＮＢ２０１の識別用のｅＮＢ  ＩＤとして用いなくても、２８ビットのｅＮＢ  ＩＤをそのまま用いて、信号の転送先のＨｅＮＢ２０１を識別することができる。また、仮にＨｅＮＢ２０１毎にＴＡＩを設定したとすると、ＴＡＩが増えてＴＡＩの枯渇を招くおそれがある。本実施の形態では、ＴＡＩを増加させなくても、信号の転送先のＨｅＮＢ２０１を識別することができる。
【０１２２】
また、仮に、ＨｅＮＢ２０１における複数（例えば２）のセルにおいて、２８ビットのｅＮＢ  ＩＤを２つ取得して２つのＳ１セットアップを行ったとすると、Ｓ１セットアップの数が増える。これにより、ＨｅＮＢ−ＧＷ２０３およびＭＭＥ２０４においては、Ｓ１インタフェースをたくさん管理しなければならず負荷となる。本実施の形態では、Ｓ１インタフェースを増加させなくても、信号の転送先のＨｅＮＢ２０１を識別することができる。
【０１２３】
（実施の形態の変形例）
次に、実施の形態の変形例について説明する。変形例では、ｅＮＢ  ＩＤが一致したＨｅＮＢ２０１にＨＡＮＤＯＶＥＲ  ＲＥＱＵＥＳＴを転送したにもかかわらず、転送に失敗する場合について説明する。例えば、複数のＨｅＮＢ２０１間で共通のｅＮＢ  ＩＤが設定される場合において、一致したｅＮＢ  ＩＤのＨｅＮＢ２０１へ要求信号を転送した場合について説明する。
【０１２４】
（ＨｅＮＢが行う処理の一例）
図１７は、ＨｅＮＢが行う処理の一例を示すフローチャートである。図１７に示すように、ＨｅＮＢ２０１は、ＨｅＮＢ−ＧＷ２０３から、ＨＡＮＤＯＶＥＲ  ＲＥＱＵＥＳＴを受信したか否かを判定する（ステップＳ１７０１）。ＨｅＮＢ２０１は、ＨｅＮＢ−ＧＷ２０３から、ＨＡＮＤＯＶＥＲ  ＲＥＱＵＥＳＴを受信するまで待機する（ステップＳ１７０１：Ｎｏ）。ＨＡＮＤＯＶＥＲ  ＲＥＱＵＥＳＴを受信すると（ステップＳ１７０１：Ｙｅｓ）、ＨｅＮＢ２０１は、収容する１または複数のセルの中に、該当するＣｅｌｌ  Ｉｄｅｎｔｉｔｙがあるか否かを判定する（ステップＳ１７０２）。
【０１２５】
該当するＣｅｌｌ  Ｉｄｅｎｔｉｔｙがある場合（ステップＳ１７０２：Ｙｅｓ）、ＨｅＮＢ２０１は、該当するＣｅｌｌ  Ｉｄｅｎｔｉｔｙのセルにハンドオーバを行い（ステップＳ１７０３）、一連の処理を終了する。該当するＣｅｌｌ  Ｉｄｅｎｔｉｔｙがない場合（ステップＳ１７０２：Ｎｏ）、ＨｅＮＢ２０１は、該当するＣｅｌｌ  Ｉｄｅｎｔｉｔｙがない旨を示すＦＡＩＬＵＲＥをＨｅＮＢ−ＧＷ２０３へ送信し（ステップＳ１７０４）、一連の処理を終了する。
【０１２６】
（変形例にかかるＨｅＮＢ−ＧＷが行う転送処理の一例）
図１８は、変形例にかかるＨｅＮＢ−ＧＷが行うハンドオーバ処理の一例を示すフローチャートである。図１８に示すように、ＨｅＮＢ−ＧＷ２０３は、ＨｅＮＢ２０１から、ＦＡＩＬＵＲＥを受信したか否かを判定する（ステップＳ１８０１）。ＨｅＮＢ−ＧＷ２０３は、ＦＡＩＬＵＲＥを受信するまで待機する（ステップＳ１８０１：Ｎｏ）。ＦＡＩＬＵＲＥを受信するとは、Ｃｅｌｌ  Ｉｄｅｎｔｉｔｙが付与されたセルを、転送先のＨｅＮＢ２０１が収容していない場合である。
【０１２７】
ＦＡＩＬＵＲＥを受信すると（ステップＳ１８０１：Ｙｅｓ）、ＨｅＮＢ−ＧＷ２０３は、図１５ＢのステップＳ１５１９においてＴａｒｇｅｔ  Ｃｅｌｌ  ＩＤとｅＮＢ  ＩＤが一致した際のｉとＩとを再び設定する（ステップＳ１８０２）。この後、ＨｅＮＢ−ＧＷ２０３は、図１５ＡのステップＳ１５０４へ移行し、図１５ＡのステップＳ１５０４以降の処理を行う。
【０１２８】
この場合、図１５Ａおよび図１５Ｂの処理において、他に同等の上位ビットが前方一致するｅＮＢ  ＩＤがある場合には、この同等の上位ビットが前方一致するｅＮＢ  ＩＤを収容するＨｅＮＢ２０１に信号を転送することとなる。また、他に同等の上位ビットが前方一致するｅＮＢ  ＩＤがある場合には、次に長い上位ビットが前方一致するｅＮＢ  ＩＤの探索が行われることとなる。
【０１２９】
図１８の処理のトリガは、ＦＡＩＬＵＲＥの受信としたが、これに限らず、ｅＮＢ  ＩＤが前方一致したＨｅＮＢ２０１にＨＡＮＤＯＶＥＲ  ＲＥＱＵＥＳＴを転送したにもかかわらず、転送先のＨｅＮＢ２０１からの応答がない場合としてもよい。
【０１３０】
このように、変形例によれば、ｅＮＢ  ＩＤが一致したＨｅＮＢ２０１にＨＡＮＤＯＶＥＲ  ＲＥＱＵＥＳＴを転送したにもかかわらず、転送に失敗した場合でも、他のｅＮＢ  ＩＤを探索して転送することができる。
【符号の説明】
【０１３１】
１００  基地局システム
１１１  記憶部
１１２  転送制御部
１１３  対応情報
１２０  基地局
２００  小基地局システム
２０１  ＨｅＮＢ
２０２  ＭｅＮＢ
２０３  ＨｅＮＢ−ＧＷ
２０４  ＭＭＥ
３１０  伝送インタフェース
３１１  ＨｅＮＢ側Ｓ１送受信部
３１２  ＭＭＥ側Ｓ１送受信部
３２０  ＣＰＵ
３２１  Ｓ１インタフェース確立・更新部
３２２  Ｓ１メッセージ処理部
３２３  ＨＯ処理用ＩＥ存否確認部
３２４  ＨＯメッセージ転送先決定部
３３０  メモリ
ＴＢ  Ｓ１管理テーブル
【図１】
2016051578.tif 000003
【図２Ａ】
2016051578.tif 000004
【図２Ｂ】
2016051578.tif 000005
【図３】
2016051578.tif 000006
【図４】
2016051578.tif 000007
【図５】
2016051578.tif 000008
【図６】
2016051578.tif 000009
【図７】
2016051578.tif 000010
【図８】
2016051578.tif 000011
【図９】
2016051578.tif 000012
【図１０】
2016051578.tif 000013
【図１１】
2016051578.tif 000014
【図１２】
2016051578.tif 000015
【図１３】
2016051578.tif 000016
【図１４】
2016051578.tif 000017
【図１５Ａ】
2016051578.tif 000018
【図１５Ｂ】
2016051578.tif 000019
【図１６】
2016051578.tif 000020
【図１７】
2016051578.tif 000021
【図１８】
2016051578.tif 000022
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
自装置に接続された基地局のセルに付与された第１識別情報であって、前記セルと異なる前記基地局のセルに付与された識別情報との間で末尾の所定位置を除き共通の値が設定される前記第１識別情報と、自装置および前記基地局の間の通信リンクと、を対応付けて記憶する記憶部と、
他の通信装置から受信した信号に含まれる第２識別情報であって前記信号の宛先基地局を示す前記第２識別情報と一致する前記第１識別情報が前記記憶部に記憶されていない場合、前記記憶部に記憶された前記第１識別情報の中から前記第２識別情報と前方一致する第１識別情報を探索し、前記前方一致する第１識別情報と対応付けて前記記憶部に記憶された通信リンクにより前記信号を転送する転送制御部と、
を有することを特徴とする中継装置。
【請求項２】
前記転送制御部は、前記第２識別情報と前方一致する第１識別情報のうちの前記第２識別情報と前方一致する範囲が最も大きい第１識別情報を探索し、前記範囲が最も大きい第１識別情報と対応付けて前記記憶部に記憶された通信リンクにより前記信号を転送することを特徴とする請求項１に記載の中継装置。
【請求項３】
前記転送制御部は、前記範囲が最も大きい第１識別情報と対応付けて前記記憶部に記憶された通信リンクによる前記信号の転送に失敗した場合、前記範囲が最も大きい第１識別情報の次に前記範囲が大きい第１識別情報と対応付けて前記記憶部に記憶された通信リンクにより前記信号を転送することを特徴とする請求項２に記載の中継装置。
【請求項４】
自装置に接続された基地局のセルに付与された第１識別情報であって、前記セルと異なる前記基地局のセルに付与された識別情報との間で末尾の所定位置を除き共通の値が設定される前記第１識別情報と、自装置および前記基地局の間の通信リンクと、を対応付けて記憶し、他の通信装置から受信した信号に含まれる第２識別情報であって前記信号の宛先基地局を示す前記第２識別情報と一致する前記第１識別情報を記憶していない場合、記憶した前記第１識別情報の中から前記第２識別情報と前方一致する第１識別情報を探索し、前記前方一致する第１識別情報と対応付けて記憶した通信リンクにより前記信号を転送する中継装置と、
前記中継装置によって転送された前記信号に基づく処理を行う前記基地局と、
を有することを特徴とする基地局システム。
【手続補正２】
【補正対象書類名】明細書
【補正対象項目名】全文
【補正方法】変更
【補正の内容】
【発明の詳細な説明】
【技術分野】
【０００１】
本発明は、中継装置および基地局システムに関する。
【背景技術】
【０００２】
従来、ＨｅＮＢ（Ｈｏｍｅ  ｅｖｏｌｖｅｄ  Ｎｏｄｅ  Ｂ）−ＧＷ（Ｇａｔｅ  Ｗａｙ）経由のＣＡ（キャリアアグリゲーション）において、基地局であるＨｅＮＢが複数のホームセルを管理する場合、ＨｅＮＢに対して複数のＨｅＮＢ  ＩＤを割り当てる移動通信システムがある（例えば、下記特許文献１参照。）。
【０００３】
また、基地局であるｅＮＢが、ＨｅＮＢ配下の複数のセル毎の物理セル識別情報とＣｅｌｌ  ｉｄｅｎｔｉｔｙとを対応付けて管理することにより、ＨｅＮＢ配下のセル＃１へのハンドオーバを行う通信方法がある（例えば、下記特許文献２参照。）。
【先行技術文献】
【特許文献】
【０００４】
【特許文献１】特開２０１２−０４４３２０号公報
【特許文献２】特開２０１３−０８１０３３号公報
【発明の概要】
【発明が解決しようとする課題】
【０００５】
しかしながら、従来技術では、基地局が複数のセルを収容する場合に、１つの基地局が複数のセルの識別情報を有することになる。このため、従来技術の一側面では、中継装置が受信した信号の転送先の基地局を識別することが困難であるという問題がある。他の側面からは、中継装置が転送処理に係る宛先情報として基地局の全てのセルの識別情報を管理したとすると、中継装置において管理する情報量が膨大となり、中継装置の負担が増大するという問題がある。
【０００６】
本発明の一側面では、基地局が複数のセルを収容していたとしても、受信した信号の転送先の基地局を識別可能にすること目的とする。本発明の一側面では、複数セルの基地局を収容する中継装置において、信号の転送先を識別可能にしつつ、複数セルの基地局の収容に供するメモリリソースの利用効率を向上（基地局の収容数の増大ないしメモリリソースの削減）させることができる中継装置および基地局システムを提供することを目的とする。
【課題を解決するための手段】
【０００７】
本発明の一側面によれば、自装置に接続された基地局のセルに付与された第１識別情報であって、前記セルと異なる前記基地局のセルに付与された識別情報との間で末尾の所定位置を除き共通の値が設定される前記第１識別情報と、自装置および前記基地局の間の通信リンクと、を対応付けて記憶し、他の通信装置から受信した信号に含まれる第２識別情報であって前記信号の宛先基地局を示す前記第２識別情報と一致する前記第１識別情報を記憶していない場合、記憶した前記第１識別情報の中から前記第２識別情報と前方一致する第１識別情報を探索し、前記前方一致する第１識別情報と対応付けて記憶した通信リンクにより前記信号を転送し、転送した前記信号に基づく処理を行う、中継装置および基地局システムが提案される。
【発明の効果】
【０００８】
本発明の一態様によれば、基地局が複数のセルを収容していたとしても、受信した信号の転送先の基地局を識別することができる。
【図面の簡単な説明】
【０００９】
【図１】図１は、実施の形態にかかる中継装置および基地局システムの一例を示す図である。
【図２Ａ】図２Ａは、小基地局システムの接続の一例を示す図である。
【図２Ｂ】図２Ｂは、ＭｅＮＢおよびＨｅＮＢのｅＮＢ  ＩＤの一例を示す図である。
【図３】図３は、小基地局システムのＨｅＮＢ−ＧＷの構成の一例を示す図である。
【図４】図４は、Ｓ１ＡＰ：Ｓ１  ＳＥＴＵＰ  ＲＥＱＵＥＳＴの一例を示す図である。
【図５】図５は、ＨｅＮＢ−ＧＷが行うＳ１管理テーブルの登録処理の一例を示すフローチャートである。
【図６】図６は、Ｓ１ＡＰ：ＥＮＢ  ＣＯＮＦＩＧＵＲＡＴＩＯＮ  ＵＰＤＡＴＥの一例を示す図である。
【図７】図７は、ＨｅＮＢ−ＧＷが行うＳ１管理テーブルの更新処理の一例を示すフローチャートである。
【図８】図８は、Ｓ１管理テーブルの更新の一例を示す図（その１）である。
【図９】図９は、Ｓ１管理テーブルの更新の一例を示す図（その２）である。
【図１０】図１０は、Ｓ１管理テーブルの更新の一例を示す図（その３）である。
【図１１】図１１は、ハンドオーバ時における小基地局システムの転送動作の一例を示す図である。
【図１２】図１２は、ＵＥがＭｅＮＢへ通知する測定結果の一例を示す図である。
【図１３】図１３は、Ｓ１ＡＰ：ＨＡＮＤＯＶＥＲ  ＲＥＱＵＩＲＥＤの一例を示す図である。
【図１４】図１４は、Ｓ１ＡＰ：ＨＡＮＤＯＶＥＲ  ＲＥＱＵＥＳＴの一例を示す図である。
【図１５Ａ】図１５Ａは、ＨｅＮＢ−ＧＷが行う転送制御処理の一例を示すフローチャート（その１）である。
【図１５Ｂ】図１５Ｂは、ＨｅＮＢ−ＧＷが行う転送制御処理の一例を示すフローチャート（その２）である。
【図１６】図１６は、ＨｅＮＢ−ＧＷの転送制御処理において識別できるｅＮＢ  ＩＤの一例を示す説明図である。
【図１７】図１７は、ＨｅＮＢが行う処理の一例を示すフローチャートである。
【図１８】図１８は、変形例にかかるＨｅＮＢ−ＧＷが行うハンドオーバ処理の一例を示すフローチャートである。
【発明を実施するための形態】
【００１０】
以下に図面を参照して、開示技術の好適な実施の形態を詳細に説明する。
【００１１】
（実施の形態）
（実施の形態にかかる中継装置および基地局システムの一例）
図１は、実施の形態にかかる中継装置および基地局システムの一例を示す図である。図１において、基地局システム１００は、中継装置１１０と、基地局１２０と、を有する。中継装置１１０は、例えば、ＨｅＮＢ（Ｈｏｍｅ  ｅｖｏｌｖｅｄ  Ｎｏｄｅ  Ｂ）−ＧＷ（Ｇａｔｅ  Ｗａｙ）である。基地局１２０は、例えば、ＨｅＮＢである。基地局１２０は、複数のセルを収容する。例えば、基地局１２０は、第１セルと第２セルとを収容する。
【００１２】
中継装置１１０は、記憶部１１１と、転送制御部１１２と、を有する。記憶部１１１は、第１識別情報と、通信リンクと、を対応付けた対応情報１１３を記憶する。第１識別情報は、自装置である中継装置１１０に接続された基地局１２０の第１セルに付与される識別情報である。また、第１識別情報は、第１セルと異なる第２セルに付与された識別情報との間で末尾の所定位置を除き共通の値が設定される。
【００１３】
通信リンクは、中継装置１１０と、基地局１２０との間の通信リンクである。通信リンクは、例えば、Ｓ１インタフェースの通信リンクである。第１識別情報と対応付けられる対応情報１１３の通信リンクは、例えば、ＴＡＣ（トラッキングエリアコード）やＰＬＭＮ（公衆ランドモバイルネットワーク番号）などの通信リンクを特定するための情報を含む。
【００１４】
転送制御部１１２は、例えば、第２識別情報と一致する第１識別情報が記憶部１１１に記憶されているか否かを判定する。第２識別情報は、他の通信装置から受信した信号に含まれる識別情報であり、且つ、当該信号の宛先基地局を示す識別情報である。第２識別情報は、例えば、宛先基地局におけるセルに付与される識別情報である。他の通信装置は、中継装置１１０や基地局１２０とは異なる装置であり、例えば、ＭＭＥ（Ｍｏｂｉｌｅ  Ｍａｎａｇｅｍｅｎｔ  Ｅｎｔｉｔｙ）やＳ−ＧＷ（Ｓｅｒｖｉｎｇ−ＧＷ）などのコア装置である。また、ここでいう第１識別情報と第２識別情報との一致とは、例えば完全一致である。
【００１５】
また、他の通信装置から受信した信号は、例えば、基地局１２０とは異なる他の基地局のセルに接続されている移動局の接続先を、宛先基地局のセルに切替えることを要求する信号とすることができる。以下において、中継装置１１０が他の通信装置から受信した信号を要求信号として説明する。
【００１６】
転送制御部１１２は、第２識別情報と完全一致する第１識別情報が記憶部１１１に記憶されていない場合、記憶部１１１に記憶された第１識別情報の中から第２識別情報と前方一致する第１識別情報を探索する。そして、転送制御部１１２は、第２識別情報と前方一致する第１識別情報と対応付けて記憶部１１１に記憶された通信リンクにより要求信号を転送する。これにより、転送制御部１１２は、宛先基地局に要求信号を転送することができる。
【００１７】
また、転送制御部１１２は、第２識別情報と完全一致する第１識別情報が記憶部１１１に記憶されている場合、第２識別情報と完全一致する第１識別情報と対応付けて記憶部１１１に記憶された通信リンクにより要求信号を転送する。
【００１８】
基地局１２０は、中継装置１１０によって転送された信号であって、中継装置１１０が他の通信装置から受信した信号に基づく処理を行う。中継装置１１０が他の通信装置から受信し基地局１２０へ転送した信号が要求信号であるとすると、基地局１２０が行う処理は、例えば、ハンドオーバ処理である。
【００１９】
また、基地局１２０は、第２識別情報と前方一致する第１識別情報と対応付けられる通信リンクにより転送信号を受信すると、中継装置１１０からの転送信号に示される識別情報に基づくセルの振分処理を行う。例えば、基地局１２０は、中継装置とは異なり、配下にある複数のセルの各々について識別情報を記憶している。そのため、基地局１２０は、中継装置からの転送信号（要求信号など）に示される識別情報に基づいて、セルを特定する処理を行う。
【００２０】
また、例えば、第１識別情報や第２セルに付与された識別情報の末尾の所定位置のビット長は、第１ビット長以下である。転送制御部１１２は、第１識別情報のビット長と第１ビット長との差分に相当する第２ビット長以上で第２識別情報と前方一致する第１識別情報を探索する。転送制御部１１２は、第２ビット長以上で第２識別情報と前方一致する第１識別情報と対応付けて記憶部に記憶された通信リンクにより要求信号を転送する。
【００２１】
以下において、第１識別情報のビット長は、例えば２８ビットとする。第１ビット長は、１ビット以上の任意の値に設定することができる。第２ビット長は、例えば、第１識別情報のビット長を２８ビットとすると、２７ビット以下である。また、第２ビット長は、例えば、第１識別情報のビット長を２８ビットとし、第１ビット長を３ビットとした場合、２５ビット以上とすることができる。例えば、基地局１２０が２つのセルを収容する場合、第１ビット長を第１識別情報の末尾１ビット以上とすればよい。また、第１ビット長を第１識別情報の末尾３ビットとした場合、８つのセルを識別することができる。
【００２２】
また、転送制御部１１２は、第２識別情報と前方一致する第１識別情報のうちの第２識別情報と前方一致する範囲が最も大きい第１識別情報を探索する。転送制御部１１２は、第２識別情報と前方一致する範囲が最も大きい第１識別情報と対応付けて記憶部１１１に記憶された通信リンクにより要求信号を転送する。例えば、第１識別情報のビット長を２８ビットとすると、第２識別情報と前方一致する最も大きい第１識別情報の範囲は、２７ビットである。
【００２３】
上位２７ビットが第２識別情報と前方一致する第１識別情報が記憶部１１１に記憶されていない場合、転送制御部１１２は、次に大きい範囲の２６ビットが第２識別情報と前方一致する第１識別情報を探索する。また、上位２６ビットが第２識別情報と前方一致する第１識別情報が記憶部１１１に記憶されていない場合、転送制御部１１２は、次に大きい範囲の２５ビットが第２識別情報と前方一致する第１識別情報を探索する。以降、例えば予め設定される所定ビット数まで上位ビット数を減じて、転送制御部１１２は、この探索を繰り返す。このように、最も範囲の大きいビットのものから所定ビット数まで徐々に前方一致の範囲を狭める。これにより、例えば、探索の回数を減らすことができるため、探索の効率化を図ることができる。
【００２４】
この場合、転送制御部１１２は、例えば、第２識別情報と前方一致する範囲が最も大きい第１識別情報と対応付けて記憶部１１１に記憶された通信リンクを用いた要求信号の転送に失敗したか否かを判定してもよい。要求信号の転送に失敗するとは、例えば、転送自体ができなかったことを含む。
【００２５】
また、異なる基地局１２０間で末尾の所定位置を除き共通の値が設定される場合もある。この場合、要求信号の転送に失敗するとは、例えば、第２識別情報と前方一致する範囲が最も大きい第１識別情報が付与された第１セルを転送先の基地局１２０が収容していない場合に、転送されていない旨を転送先の基地局１２０から受信することを含む。
【００２６】
転送制御部１１２は、要求信号の転送に失敗した場合、第２識別情報と前方一致する範囲が最も大きい第１識別情報の次に範囲が大きい第１識別情報と対応付けて記憶部１１１に記憶された通信リンクにより要求信号を転送してもよい。例えば、上位２７ビットが第２識別情報と前方一致する第１識別情報と対応付けられた通信リンクを用いた要求信号の転送に失敗した場合、次に範囲が大きい上位２６ビットが前方一致する第１識別情報と対応付けられた通信リンクにより要求信号を転送する。
【００２７】
ただし、他に上位２７ビットが第２識別情報と前方一致する第１識別情報と対応付けられた通信リンクがある対応情報１１３に記憶されている場合がある。この場合には、この上位２７ビットが第２識別情報と前方一致する第１識別情報と対応付けられた通信リンクにより要求信号を転送すればよい。
【００２８】
また、例えば上位２６ビットが第２識別情報と前方一致する第１識別情報と対応付けられた通信リンクを用いた要求信号の転送に失敗した場合、次に範囲が大きい上位２５ビットが前方一致する第１識別情報と対応付けられた通信リンクにより要求信号を転送する。以降、例えば予め設定されるビット数まで、この転送を繰り返してもよい。
【００２９】
第１識別情報に共通の値が設定されるのは、末尾の所定位置に限らず、先頭の所定位置としてもよい。例えば、第１識別情報は、中継装置１１０に接続された基地局の第１セルと異なる基地局１２０の第２セルに付与された識別情報との間で先頭の所定位置を除き共通の値が設定されていてもよい。この場合、転送制御部１１２は、第２識別情報と完全一致する第１識別情報が記憶部１１１に記憶されていない場合、記憶部１１１に記憶された第１識別情報の中から第２識別情報と後方一致する第１識別情報を探索すればよい。また、転送制御部１１２は、後方一致する第１識別情報と対応付けて記憶部１１１に記憶された通信リンクにより要求信号を転送すればよい。
【００３０】
（小基地局システムの接続の一例）
図２Ａは、小基地局システムの接続の一例を示す図である。図２Ａに示すように小基地局システム２００は、ＨｅＮＢ２０１と、ＭｅＮＢ（Ｍａｃｒｏ  ｅＮＢ）２０２と、ＨｅＮＢ−ＧＷ２０３と、ＭＭＥやＳ−ＧＷなどのコア装置（以下「ＭＭＥ２０４」という）と、を有する。
【００３１】
ＨｅＮＢ２０１やＭｅＮＢ２０２は、ＬＴＥ（Ｌｏｎｇ  Ｔｅｒｍ  Ｅｖｏｌｕｔｉｏｎ）の無線基地局である。ＬＴＥは、標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）の通信規格である。ＭｅＮＢ２０２は、複数のセルを有し、例えば、ＣＡ（キャリアアグリゲーション）による通信を行うことが可能である。また、本実施の形態では、ＨｅＮＢ２０１についても、複数のセルを有し、ＣＡによる通信を行うことが可能である。
【００３２】
ＣＡは、複数の搬送波による通信を一体的に運用する通信方式である。ＣＡにより、無線通信を高速化することができる。ＣＡでは、例えば、基地局が周波数の異なる複数のセルを構成した状態で、そのうちの一つのセルを、主に制御信号（ＭｅａｓｕｒｅｍｅｎｔやＭｏｂｉｌｉｔｙ等）のやり取りを行うためのＰＣｅｌｌ（Ｐｒｉｍａｒｙ  Ｃｅｌｌ）として動作させることができる。また、ＣＡでは、それ以外のセルを、主にデータ通信を行うためのＳＣｅｌｌ（Ｓｅｃｏｎｄａｒｙ  Ｃｅｌｌ）として動作させることができる。ＣＡを行うための各セルは、ＥＣＧＩ（Ｅ−ＵＴＲＡＮ  Ｃｅｌｌ  Ｇｌｏｂａｌ  Ｉｄｅｎｔｉｆｉｅｒ）によって判別される。
【００３３】
また、小型基地局であるＨｅＮＢ２０１は、大型のセルを構築するＭｅＮＢ２０２よりも大量に設置される。これらのＨｅＮＢ２０１がＭＭＥ２０４に直接接続すると、ＭＭＥ２０４がたくさんのＨｅＮＢ２０１を管理することになるため、ＭＭＥ２０４の負荷が増大する。このため、ＨｅＮＢ２０１とＭＭＥ２０４とは、例えば、ＨｅＮＢ−ＧＷ２０３を介して接続する。これにより、ＭＭＥ２０４が直接管理するＨｅＮＢ２０１の数を減らすことができ、ＭＭＥ２０４の負荷を軽減することができる。
【００３４】
各装置は、例えば、Ｓ１インタフェース、Ｘ２インタフェース、Ｓ５インタフェースなどを介して接続される。Ｓ１インタフェースは、例えば、ＨｅＮＢ２０１やＭｅＮＢ２０２などの無線基地局と、コア装置側とを結ぶインタフェースである。例えば、Ｓ１インタフェースは、ＨｅＮＢ２０１とＨｅＮＢ−ＧＷ２０３との接続や、ＨｅＮＢ−ＧＷ２０３とＭＭＥ２０４との接続や、ＨｅＮＢ２０１とＭＭＥ２０４との接続や、ＭｅＮＢ２０２とＭＭＥ２０４との接続などに用いられる。
【００３５】
また、Ｘ２インタフェースは、例えば、ＨｅＮＢ２０１やＭｅＮＢ２０２などの２つの無線基地局間を結ぶインタフェースである。例えば、Ｘ２インタフェースは、ＨｅＮＢ２０１同士の接続や、ＭｅＮＢ２０２同士の接続や、ＨｅＮＢ２０１とＭｅＮＢ２０２との接続に用いられる。また、Ｓ５インタフェースは、例えば、動画や画像データの実際のデータの通信に用いられるインタフェースである。例えば、Ｓ５インタフェースは、ＨｅＮＢ２０１またはＭｅＮＢ２０２と、Ｓ−ＧＷとの間を繋ぐインタフェースである。
【００３６】
（ＭｅＮＢおよびＨｅＮＢのｅＮＢ  ＩＤの一例）
図２Ｂは、ＭｅＮＢおよびＨｅＮＢのｅＮＢ  ＩＤの一例を示す図である。図２Ｂに示すように、ＬＴＥネットワークの全てのセルは、ネットワーク全体で固有の値である２８ビットのＣｅｌｌ  Ｉｄｅｎｔｉｔｙを保持している。さらに、ＬＴＥネットワークの全ての無線基地局はネットワーク全体の固有の値であるｅＮＢ  ＩＤを保持している。通常、Ｃｅｌｌ  ＩｄｅｎｔｉｔｙおよびｅＮＢ  ＩＤには以下の関係がある。
【００３７】
１つの無線基地局で複数のセルを保持するＭｅＮＢ２０２の場合、ＭｅＮＢ２０２の配下のセルにおいては、２８ビットのＣｅｌｌ  Ｉｄｅｎｔｉｔｙの上位２０ビットの値が同値である。このため、この上位２０ビットの値が、ＭｅＮＢ２０２のｅＮＢ  ＩＤとなる。つまり、ＭｅＮＢ２０２は、２０ビットのｅＮＢ  ＩＤの識別子で表される。また、残りの８ビットの識別子は、基地局内のセルの識別に用いられる。
【００３８】
一方で、ＨｅＮＢ２０１の場合、ＨｅＮＢ２０１の各セルにおいては、２８ビットのＣｅｌｌ  Ｉｄｅｎｔｉｔｙの値がそれぞれＨｅＮＢ２０１のｅＮＢ  ＩＤとなる。ＨｅＮＢ２０１は、ＭｅＮＢ２０２に比べて大量に設置されるため、仮にＨｅＮＢ２０１の基地局自体の識別子として１０４８５７６パターンしかない２０ビットのｅＮＢ  ＩＤを使用したとすると、ｅＮＢ  ＩＤの枯渇を引き起こすおそれがある。
【００３９】
このため、ＨｅＮＢ２０１の場合、２８ビットの値で無線基地局自体の識別とセルの識別とが行われる。本実施の形態においては、同じＨｅＮＢ２０１の複数のセル間では、２８ビットのうちの上位の所定ビットが共通化される。
【００４０】
本実施の形態のある側面では、共通化されるビット長を、基地局が収容するセル数などに応じた長さに設定することができる。例えば、２つのセルがＨｅＮＢ２０１に収容される場合、２８ビットのＣｅｌｌ  Ｉｄｅｎｔｉｔｙ（ｅＮＢ  ＩＤ）の上位２７ビットをセル間で共通化すればよい。そして、ＨｅＮＢ２０１を収容するＨｅＮＢ−ＧＷ２０３が、受信した信号の宛先を示すセルのＩＤと前方一致するビット長が最も長いｅＮＢ  ＩＤを探索することにより、信号の転送先のＨｅＮＢ２０１を識別することができる。
【００４１】
図１において説明した、第１識別情報は、例えば、２８ビットのｅＮＢ  ＩＤによって実現される。第２識別情報は、移動局からの接続要求の対象を示すＴａｒｇｅｔ  Ｃｅｌｌ  ＩＤによって実現される。また、図１に示した基地局システム１００は、例えば、小基地局システム２００によって実現される。また、中継装置１１０は、例えば、ＨｅＮＢ−ＧＷ２０３によって実現される。また、基地局１２０は、例えば、ＨｅＮＢ２０１によって実現される。
【００４２】
（小基地局システムのＨｅＮＢ−ＧＷの構成の一例）
図３は、小基地局システムのＨｅＮＢ−ＧＷの構成の一例を示す図である。図３に示すように小基地局システム２００のＨｅＮＢ−ＧＷ２０３は、Ｓ１インタフェースを介してＨｅＮＢ２０１と接続される。ＨｅＮＢ−ＧＷ２０３は、Ｓ１インタフェースを介してＭＭＥ２０４と接続される。ＨｅＮＢ−ＧＷ２０３は、伝送インタフェース３１０と、ＣＰＵ（Ｃｅｎｔｒａｌ  Ｐｒｏｃｅｓｓｉｎｇ  Ｕｎｉｔ）３２０と、メモリ３３０と、を有する。
【００４３】
伝送インタフェース３１０は、ＨｅＮＢ側Ｓ１送受信部３１１と、ＭＭＥ側Ｓ１送受信部３１２と、を有する。ＣＰＵ３２０は、Ｓ１インタフェース確立・更新部３２１と、Ｓ１メッセージ処理部３２２とを有する。メモリ３３０は、Ｓ１管理テーブルＴＢを記憶する。ＨｅＮＢ側Ｓ１送受信部３１１は、ＨｅＮＢ２０１との間でメッセージを送受する。
【００４４】
（Ｓ１ＡＰ：Ｓ１  ＳＥＴＵＰ  ＲＥＱＵＥＳＴを受信した場合）
ＨｅＮＢ側Ｓ１送受信部３１１は、受信したメッセージがＳ１の接続要求を示すＳ１ＡＰ：Ｓ１  ＳＥＴＵＰ  ＲＥＱＵＥＳＴであった場合、ＳＥＴＵＰ  ＲＥＱＵＥＳＴをＳ１インタフェース確立・更新部３２１へ通知する。Ｓ１ＡＰは、Ｓ１制御プレーンプロトコルであり、ストリーム制御伝送プロトコル（ＳＣＴＰ）／ＩＰの上に置かれる。Ｓ１インタフェース確立・更新部３２１は、Ｓ１インタフェースの確立や状態管理を行う。
【００４５】
Ｓ１インタフェース確立・更新部３２１は、ＨＯ（Ｈａｎｄ  Ｏｖｅｒ）処理用ＩＥ（Ｉｎｆｏｒｍａｔｉｏｎ  Ｅｌｅｍｅｎｔ）存否確認部３２３を有する。Ｓ１インタフェース確立・更新部３２１は、ＳＥＴＵＰ  ＲＥＱＵＥＳＴを受信すると、ＨＯ処理用ＩＥ存否確認部３２３を起動する。ＨＯ処理用ＩＥ存否確認部３２３は、ＳＥＴＵＰ  ＲＥＱＵＥＳＴを送信したＨｅＮＢ２０１が、ＨＯに特別処理を要求するＨｅＮＢ２０１であるか否かを判定する。特別処理は、詳細については後述するが、例えばハンドオーバ時に、Ｔａｒｇｅｔ  Ｃｅｌｌ  ＩＤと上位所定ビットが一致するｅＮＢ  ＩＤが付与されたセルを収容するＨｅＮＢ２０１をＳ１管理テーブルＴＢから探索して転送する処理である。
【００４６】
例えば、ＨＯ処理用ＩＥ存否確認部３２３は、ＳＥＴＵＰ  ＲＥＱＵＥＳＴに、オプションパラメータであるＩＥ：ｅＮＢ  Ｎａｍｅが含まれているかを確認する。ＩＥ：ｅＮＢ  Ｎａｍｅには、例えば、Ｃｅｌｌ  Ｉｄｅｎｔｉｔｙが示す２８ビットのうちの、セル間で共通化された上位所定ビットの指定を示すＨＯ  ｂｉｔ情報が格納されている。
【００４７】
ＳＥＴＵＰ  ＲＥＱＵＥＳＴにＩＥ：ｅＮＢ  Ｎａｍｅが含まれている場合、ＨＯ処理用ＩＥ存否確認部３２３は、通常のＳ１インタフェース関連情報に加えて、ＨＯ  ｂｉｔ情報をＳ１管理テーブルＴＢに登録する。ＳＥＴＵＰ  ＲＥＱＵＥＳＴにＩＥ：ｅＮＢ  Ｎａｍｅが含まれていない場合、ＨＯ処理用ＩＥ存否確認部３２３は、ＨＯ  ｂｉｔ情報を未登録にしたり、２８ビット全てをＨＯ処理に使用することを示す情報をＳ１管理テーブルＴＢに登録したりする。
【００４８】
Ｓ１管理テーブルＴＢは、ｅＮＢ  ＩＤや、ＴＡＣや、ＰＬＭＮや、ＨＯ  ｂｉｔ情報などを登録する。ＴＡＣは、ＬＴＥ方式の移動通信システムにおける位置登録エリア（Ｔｒａｃｋｉｎｇ  Ａｒｅａ）を識別する情報であり、例えば、１つの位置登録エリアに対して固有のＴＡＣが割当てられる。ＰＬＭＮは、例えば、接続中の移動体通信事業者を示す。ＨＯ  ｂｉｔ情報は、ハンドオーバ時の特別処理において使用するＣｅｌｌ  Ｉｄｅｎｔｉｔｙの上位ビット数を示す。
【００４９】
Ｓ１管理テーブルＴＢに登録されるＣｅｌｌ  Ｉｄｅｎｔｉｔｙのビット数は、ＨｅＮＢ−ＧＷ２０３およびＨｅＮＢ２０１間でＳ１確立を行う際に決められる値でもよいし、予めシステム全体で決められる値でもよい。また、不図示の保守装置からそれぞれに通知される値でもよい。
【００５０】
また、ＨＯ処理用ＩＥ存否確認部３２３は、ＨｅＮＢ側Ｓ１送受信部３１１を介して、ＳＥＴＵＰ  ＲＥＱＵＥＳＴを送信したＨｅＮＢ２０１へ、登録の完了を示すＳ１  ＳＥＴＵＰ  ＲＥＳＰＯＮＳＥを送信する。
【００５１】
（Ｓ１ＡＰ：ＥＮＢ  ＣＯＮＦＩＧＵＲＡＴＩＯＮ  ＵＰＤＡＴＥを受信した場合）
ＨｅＮＢ側Ｓ１送受信部３１１は、受信したメッセージがＳ１の更新要求を示すＳ１ＡＰ：ＥＮＢ  ＣＯＮＦＩＧＵＲＡＴＩＯＮ  ＵＰＤＡＴＥであった場合、当該メッセージをＳ１インタフェース確立・更新部３２１へ通知する。
【００５２】
Ｓ１インタフェース確立・更新部３２１は、ＥＮＢ  ＣＯＮＦＩＧＵＲＡＴＩＯＮ  ＵＰＤＡＴＥを受信すると、ＨＯ処理用ＩＥ存否確認部３２３を起動する。ＨＯ処理用ＩＥ存否確認部３２３は、ＥＮＢ  ＣＯＮＦＩＧＵＲＡＴＩＯＮ  ＵＰＤＡＴＥを送信したＨｅＮＢ２０１が、ＨＯに特別処理を要求するＨｅＮＢ２０１であるか否かを判定する。
【００５３】
例えば、ＨＯ処理用ＩＥ存否確認部３２３は、ＥＮＢ  ＣＯＮＦＩＧＵＲＡＴＩＯＮ  ＵＰＤＡＴＥに、オプションパラメータであるＩＥ：ｅＮＢ  Ｎａｍｅが含まれているかを判定する。ＥＮＢ  ＣＯＮＦＩＧＵＲＡＴＩＯＮ  ＵＰＤＡＴＥに、ＩＥ：ｅＮＢ  Ｎａｍｅが含まれている場合は、ＨＯ処理用ＩＥ存否確認部３２３は、通常のＳ１インタフェース関連情報に加えて、Ｓ１管理テーブルＴＢのＨＯ  ｂｉｔ情報を含むＳ１情報を更新する。ＨＯ処理用ＩＥ存否確認部３２３は、ＥＮＢ  ＣＯＮＦＩＧＵＲＡＴＩＯＮ  ＵＰＤＡＴＥにＩＥ：ｅＮＢ  Ｎａｍｅが含まれていない場合は、ＨＯ  ｂｉｔ情報を除くＳ１情報の更新を行う。
【００５４】
また、ＨＯ処理用ＩＥ存否確認部３２３は、ＨｅＮＢ側Ｓ１送受信部３１１を介して、ＥＮＢ  ＣＯＮＦＩＧＵＲＡＴＩＯＮ  ＵＰＤＡＴＥを送信したＨｅＮＢ２０１に対して、更新の完了を示すメッセージを送信する。更新の完了を示すメッセージは、例えば、ＥＮＢ  ＣＯＮＦＩＧＵＲＡＴＩＯＮ  ＵＰＤＡＴＥ  ＡＣＫＮＯＷＬＥＤＧＥである。
【００５５】
このように、ＨｅＮＢ２０１がＨｅＮＢ−ＧＷ２０３に対して１のｅＮＢ  ＩＤのみを通知することにより、ＨｅＮＢ−ＧＷ２０３は、ＨｅＮＢ２０１について１のｅＮＢ  ＩＤを管理する。ただし、ＨｅＮＢ２０１は、無線区間において、ＵＥ（Ｕｓｅｒ  Ｅｑｕｉｐｍｅｎｔ）に対して、収容しているセル分のＣｅｌｌ  Ｉｄｅｎｔｉｔｙを報知している。このため、ＵＥは、Ｃｅｌｌ  Ｉｄｅｎｔｉｔｙを検出して、そのセルにハンドオーバを実行する。Ｃｅｌｌ  Ｉｄｅｎｔｉｔｙは、例えば、ＨｅＮＢ２０１がＨｅＮＢ−ＧＷ２０３に通知しているｅＮＢ  ＩＤと完全一致する場合、前方一致する場合または異なる場合がある。
【００５６】
ＭＭＥ側Ｓ１送受信部３１２は、ＭＭＥ２０４との間でメッセージを送受する。ＭＭＥ側Ｓ１送受信部３１２は、受信したメッセージがハンドオーバの要求を示すＨＡＮＤＯＶＥＲ  ＲＥＱＵＥＳＴである場合、当該メッセージをＳ１メッセージ処理部３２２へ通知する。ＨＡＮＤＯＶＥＲ  ＲＥＱＵＥＳＴは、ＵＥが在圏中のＭｅＮＢ２０２に対してハンドオーバの要求を行うことにより、ＭＭＥ２０４が当該要求をＨｅＮＢ−ＧＷ２０３へ通知する際のメッセージである。
【００５７】
Ｓ１メッセージ処理部３２２は、ＨＯメッセージ転送先決定部３２４を有する。ＨＯメッセージ転送先決定部３２４は、ＭｅＮＢ２０２からＨＡＮＤＯＶＥＲ  ＲＥＱＵＥＳＴを受信すると、まず、メモリ３３０内のＳ１管理テーブルＴＢから、ＨＯ  ｂｉｔ情報フィールドにビットの指定がないｅＮＢ  ＩＤ（ＨｅＮＢ２０１）を抽出する。
【００５８】
ＨＯメッセージ転送先決定部３２４は、抽出したｅＮＢ  ＩＤの中にＨＡＮＤＯＶＥＲ  ＲＥＱＵＥＳＴのＩＥ：Ｔａｒｇｅｔ  Ｃｅｌｌ  ＩＤと完全一致するｅＮＢ  ＩＤが存在するか否かを判定する。完全一致するｅＮＢ  ＩＤが存在する場合、ＨＯメッセージ転送先決定部３２４は、ＨＡＮＤＯＶＥＲ  ＲＥＱＵＥＳＴの転送先として、当該ｅＮＢ  ＩＤを収容するＨｅＮＢ２０１に決定する。
【００５９】
また、完全一致するｅＮＢ  ＩＤが存在しない場合、ＨＯメッセージ転送先決定部３２４は、メモリ３３０内のＳ１管理テーブルＴＢからＨＯ  ｂｉｔ情報として、例えば２７ビットが指定されているｅＮＢ  ＩＤを抽出する。抽出したｅＮＢ  ＩＤの中に、ＨＡＮＤＯＶＥＲ  ＲＥＱＵＥＳＴのＩＥ：Ｔａｒｇｅｔ  Ｃｅｌｌ  ＩＤと上位２７ビットが前方一致するｅＮＢ  ＩＤが存在すれば、ＨＡＮＤＯＶＥＲ  ＲＥＱＵＥＳＴを、当該ｅＮＢ  ＩＤを収容するＨｅＮＢ２０１に転送する。
【００６０】
また、２７ビットが前方一致するｅＮＢ  ＩＤが存在しない場合、ＨＯメッセージ転送先決定部３２４は、メモリ３３０内のＳ１管理テーブルＴＢからＨＯ  ｂｉｔフィールドに、例えば２６ビットが指定されているｅＮＢ  ＩＤを抽出する。抽出したｅＮＢ  ＩＤの中に、ＨＡＮＤＯＶＥＲ  ＲＥＱＵＥＳＴのＩＥ：Ｔａｒｇｅｔ  Ｃｅｌｌ  ＩＤと上位２６ビットが前方一致するｅＮＢ  ＩＤが存在すれば、ＨＡＮＤＯＶＥＲ  ＲＥＱＵＥＳＴを、当該ｅＮＢ  ＩＤを収容するＨｅＮＢ２０１に転送する。以降、ＨＯメッセージ転送先決定部３２４は、上位のビット数を順次下げて同様の動作を行う。
【００６１】
ただし、Ｓ１管理テーブルＴＢのうちの所定ビット数まで前方一致の判定を行ったとしても該当するｅＮＢ  ＩＤが存在しない場合、ＨｅＮＢ−ＧＷ２０３は、例えば、ＨＡＮＤＯＶＥＲ  ＲＥＱＵＥＳＴを破棄する。この場合、ＨｅＮＢ−ＧＷ２０３は、ＭＭＥ側Ｓ１送受信部３１２から、失敗を示すＨＡＮＤＯＶＥＲ  ＦＡＩＬＵＲＥをＭＭＥ２０４へ送信してもよい。
【００６２】
図１に示した記憶部１１１は、例えばメモリ３３０によって実現される。また、転送制御部１１２は、例えば伝送インタフェース３１０およびＣＰＵ３２０によって実現される。対応情報１１３は、例えばＳ１管理テーブルＴＢによって実現される。
【００６３】
（Ｓ１ＡＰ：Ｓ１  ＳＥＴＵＰ  ＲＥＱＵＥＳＴの一例）
図４は、Ｓ１ＡＰ：Ｓ１  ＳＥＴＵＰ  ＲＥＱＵＥＳＴの一例を示す図である。図４に示すＳ１  ＳＥＴＵＰ  ＲＥＱＵＥＳＴは、３ＧＰＰ  ＴＳ  ３６．４１３で規格化されている。Ｓ１  ＳＥＴＵＰ  ＲＥＱＵＥＳＴは、パラメータを示す「ＩＥ／Ｇｒｏｕｐ  Ｎａｍｅ」と、必須のパラメータであるか否かを示す「Ｐｒｅｓｅｎｃｅ」と、を含む。
【００６４】
「ＩＥ／Ｇｒｏｕｐ  Ｎａｍｅ」は、「Ｍｅｓｓａｇｅ  Ｔｙｐｅ」や、「Ｇｌｏｂａｌ  ｅＮＢ  ＩＤ」といった各種パラメータを含む。「Ｐｒｅｓｅｎｃｅ」において「Ｍ」は、必須のパラメータであることを示す。また、「Ｐｒｅｓｅｎｃｅ」において「Ｏ」は、オプションパラメータを示す。また、「ＩＥ／Ｇｒｏｕｐ  Ｎａｍｅ」において、「Ｐｒｅｓｅｎｃｅ」の空白に対応するものは、パラメータではなく、下段の「＞」のパラメータのまとまりである階層構造を示している。例えば、オプションパラメータは、膨大であるため、図４においては省略している。
【００６５】
Ｓ１  ＳＥＴＵＰ  ＲＥＱＵＥＳＴにおいて、符号４０１に示す「ｅＮＢ  Ｎａｍｅ」は、オプションパラメータである。「ｅＮＢ  Ｎａｍｅ」は、使用頻度が低いため、セル間で共通化された上位ビット数の指定を示す情報を記憶させることができる。また、上位ビット数の指定を示す情報の記憶に用いるパラメータは、ｅＮＢ  Ｎａｍｅに限らず、使用頻度の低いパラメータであればよい。例えば、符号４０２に示す「ＣＳＧ  Ｉｄ」とすることも可能である。
【００６６】
（ＨｅＮＢ−ＧＷが行うＳ１管理テーブルの登録処理の一例）
図５は、ＨｅＮＢ−ＧＷが行うＳ１管理テーブルの登録処理の一例を示すフローチャートである。図５に示すように、ＨｅＮＢ−ＧＷ２０３は、ＨｅＮＢ２０１から、Ｓ１  ＳＥＴＵＰ  ＲＥＱＵＥＳＴを受信したか否かを判定する（ステップＳ５０１）。ＨｅＮＢ−ＧＷ２０３は、Ｓ１  ＳＥＴＵＰ  ＲＥＱＵＥＳＴを受信するまで待機する（ステップＳ５０１：Ｎｏ）。Ｓ１  ＳＥＴＵＰ  ＲＥＱＵＥＳＴを受信すると（ステップＳ５０１：Ｙｅｓ）、ＨｅＮＢ−ＧＷ２０３は、受信したＳ１  ＳＥＴＵＰ  ＲＥＱＵＥＳＴに、ＩＥ：ｅＮＢ  Ｎａｍｅが含まれているか否かを判定する（ステップＳ５０２）。
【００６７】
受信したＳ１  ＳＥＴＵＰ  ＲＥＱＵＥＳＴに、ＩＥ：ｅＮＢ  Ｎａｍｅが含まれている場合（ステップＳ５０２：Ｙｅｓ）、ＨｅＮＢ−ＧＷ２０３は、ＨＯ処理に利用できる情報であるか否かを判定する（ステップＳ５０３）。
【００６８】
ＨＯ処理に利用できる情報とは、例えば２７ビットや２６ビットといった、セル間において共通化された上位ビット数を示す情報である。ＨＯ処理に利用できる情報である場合（ステップＳ５０３：Ｙｅｓ）、ＨｅＮＢ−ＧＷ２０３は、ＨＯ  ｂｉｔ情報を含むＳ１情報をＳ１管理テーブルＴＢに登録する（ステップＳ５０４）。これにより、Ｓ１管理テーブルＴＢに、例えば、ｅＮＢ  ＩＤや、ＴＡＣや、ＰＬＭＮや、ＨＯ  ｂｉｔ情報などのＳ１情報を登録することができる。
【００６９】
次に、ＨｅＮＢ−ＧＷ２０３は、Ｓ１  ＳＥＴＵＰ  ＲＥＱＵＥＳＴの受信完了を示す、Ｓ１  ＳＥＴＵＰ  ＲＥＳＰＯＮＳＥをＨｅＮＢ２０１へ送信し（ステップＳ５０５）、一連の処理を終了する。ステップＳ５０２において、ＩＥ：ｅＮＢ  Ｎａｍｅが含まれていない場合（ステップＳ５０２：Ｎｏ）、例えば、ＨｅＮＢ２０１が複数セルを収容しない場合などのＩＥ：ｅＮＢ  Ｎａｍｅが空の場合、ＨｅＮＢ−ＧＷ２０３は、ステップＳ５０６に移行する。また、ステップＳ５０３において、ＨＯ処理に利用できる情報ではない場合（ステップＳ５０３：Ｎｏ）、例えば、ＨｅＮＢ２０１が収容するセル間で共通化された上位ビット数を示す情報である場合、ＨｅＮＢ−ＧＷ２０３は、ステップＳ５０６に移行する。
【００７０】
ステップＳ５０６では、ＨｅＮＢ−ＧＷ２０３は、ＨＯ  ｂｉｔ情報を除くＳ１情報をＳ１管理テーブルＴＢに登録する（ステップＳ５０６）。これにより、例えば、Ｓ１管理テーブルＴＢに、ＨＯ  ｂｉｔ情報を除く、ｅＮＢ  ＩＤや、ＴＡＣや、ＰＬＭＮなどのＳ１情報を登録することができる。この後、ＨｅＮＢ−ＧＷ２０３は、ステップＳ５０５に移行する。
【００７１】
（Ｓ１ＡＰ：ＥＮＢ  ＣＯＮＦＩＧＵＲＡＴＩＯＮ  ＵＰＤＡＴＥの一例）
図６は、Ｓ１ＡＰ：ＥＮＢ  ＣＯＮＦＩＧＵＲＡＴＩＯＮ  ＵＰＤＡＴＥの一例を示す図である。図６の説明において、上述した図４のＳ１  ＳＥＴＵＰ  ＲＥＱＵＥＳＴと同様の点については説明を省略する。図６に示すＥＮＢ  ＣＯＮＦＩＧＵＲＡＴＩＯＮ  ＵＰＤＡＴＥは、３ＧＰＰ  ＴＳ  ３６．４１３で規格化されている。
【００７２】
ＥＮＢ  ＣＯＮＦＩＧＵＲＡＴＩＯＮ  ＵＰＤＡＴＥにおいて、符号６０１に示す「ｅＮＢ  Ｎａｍｅ」や、符号６０２に示す「Ｄｅｆａｕｌｔ  Ｐａｇｉｎｇ  ＤＲＸ」は、オプションパラメータである。また、「ｅＮＢ  Ｎａｍｅ」は、使用頻度が低いため、上位ビット数の指定を示す情報を記憶させることが可能である。また、上位ビット数の指定を示す情報の記憶に用いるパラメータは、ｅＮＢ  Ｎａｍｅに限らず、使用頻度の低いパラメータであればよい。例えば、符号６０３に示す「ＣＳＧ  Ｉｄ」とすることも可能である。
【００７３】
（ＨｅＮＢ−ＧＷが行うＳ１管理テーブルの更新処理の一例）
図７は、ＨｅＮＢ−ＧＷが行うＳ１管理テーブルの更新処理の一例を示すフローチャートである。図７に示すように、ＨｅＮＢ−ＧＷ２０３は、ＨｅＮＢ２０１から、ＥＮＢ  ＣＯＮＦＩＧＵＲＡＴＩＯＮ  ＵＰＤＡＴＥを受信したか否かを判定する（ステップＳ７０１）。ＨｅＮＢ−ＧＷ２０３は、ＥＮＢ  ＣＯＮＦＩＧＵＲＡＴＩＯＮ  ＵＰＤＡＴＥを受信するまで待機する（ステップＳ７０１：Ｎｏ）。ＥＮＢ  ＣＯＮＦＩＧＵＲＡＴＩＯＮ  ＵＰＤＡＴＥを受信すると（ステップＳ７０１：Ｙｅｓ）、ＨｅＮＢ−ＧＷ２０３は、受信したＥＮＢ  ＣＯＮＦＩＧＵＲＡＴＩＯＮ  ＵＰＤＡＴＥに、ＩＥ：ｅＮＢ  Ｎａｍｅが含まれているか否かを判定する（ステップＳ７０２）。
【００７４】
受信したＥＮＢ  ＣＯＮＦＩＧＵＲＡＴＩＯＮ  ＵＰＤＡＴＥに、ＩＥ：ｅＮＢ  Ｎａｍｅが含まれている場合（ステップＳ７０２：Ｙｅｓ）、ＨｅＮＢ−ＧＷ２０３は、ＨＯ処理に利用できる情報であるか否かを判定する（ステップＳ７０３）。ＨＯ処理に利用できる情報とは、例えば２７ビットや２６ビットといった、セル間において共通化された上位ビット数を示す情報である。
【００７５】
ＨＯ処理に利用できる情報である場合（ステップＳ７０３：Ｙｅｓ）、ＨｅＮＢ−ＧＷ２０３は、Ｓ１管理テーブルＴＢのＨＯ  ｂｉｔ情報を含むＳ１情報を更新する（ステップＳ７０４）。これにより、Ｓ１管理テーブルＴＢのＳ１情報が更新され、例えば、ＨＯ  ｂｉｔ情報が登録または更新される。
【００７６】
次に、ＨｅＮＢ−ＧＷ２０３は、ＥＮＢ  ＣＯＮＦＩＧＵＲＡＴＩＯＮ  ＵＰＤＡＴＥ  ＡＣＫＮＯＷＬＥＤＧＥをＨｅＮＢ２０１へ送信し（ステップＳ７０５）、一連の処理を終了する。ステップＳ７０２においてＩＥ：ｅＮＢ  Ｎａｍｅが含まれていない場合（ステップＳ７０２：Ｎｏ）や、ステップＳ７０３においてＨＯ処理に利用できる情報ではない場合（ステップＳ７０３：Ｎｏ）、ＨｅＮＢ−ＧＷ２０３は、ステップＳ７０６に移行する。
【００７７】
ステップＳ７０６では、ＨｅＮＢ−ＧＷ２０３は、Ｓ１管理テーブルＴＢのＨＯ  ｂｉｔ情報を除くＳ１情報を更新する（ステップＳ７０６）。これにより、例えば、Ｓ１管理テーブルＴＢの、ＨＯ  ｂｉｔ情報を除く、ｅＮＢ  ＩＤや、ＴＡＣや、ＰＬＭＮなどのＳ１情報が更新される。次に、ＨｅＮＢ−ＧＷ２０３は、ステップＳ７０５に移行する。
【００７８】
（Ｓ１管理テーブルの更新の一例）
図８は、Ｓ１管理テーブルの更新の一例を示す図（その１）である。図９は、Ｓ１管理テーブルの更新の一例を示す図（その２）である。図１０は、Ｓ１管理テーブルの更新の一例を示す図（その３）である。
【００７９】
図８の（Ａ）では、ＨＯ  ｂｉｔ情報を含まないＳ１  ＳＥＴＵＰ  ＲＥＱＵＥＳＴを既に受信したことにより、Ｓ１管理テーブルＴＢには、ＨＯ  ｂｉｔ情報を除くＳ１情報が登録されている。（Ａ）を記憶している状態において、ＨＯ  ｂｉｔ情報を含むＥＮＢ  ＣＯＮＦＩＧＵＲＡＴＩＯＮ  ＵＰＤＡＴＥ（図６参照）を受信したとする。この場合、（Ｂ）に示すように、Ｓ１管理テーブルＴＢのＨＯ  ｂｉｔ情報を含むＳ１情報が更新され、例えば、ＨＯ  ｂｉｔ情報が登録される。
【００８０】
また、図９の（Ａ）では、ＨＯ  ｂｉｔ情報を含むＳ１  ＳＥＴＵＰ  ＲＥＱＵＥＳＴを既に受信したことにより、Ｓ１管理テーブルＴＢには、ＨＯ  ｂｉｔ情報を含むＳ１情報が登録されている。（Ａ）を記憶している状態において、ＨＯ  ｂｉｔ情報を含むＥＮＢ  ＣＯＮＦＩＧＵＲＡＴＩＯＮ  ＵＰＤＡＴＥを受信したとする。この場合、（Ｂ）に示すように、Ｓ１管理テーブルＴＢのＨＯ  ｂｉｔ情報を含むＳ１情報が更新される。
【００８１】
また、図１０の（Ａ）では、ＨＯ  ｂｉｔ情報を含まないＳ１  ＳＥＴＵＰ  ＲＥＱＵＥＳＴを既に受信したことにより、Ｓ１管理テーブルＴＢには、ＨＯ  ｂｉｔ情報を除くＳ１情報が登録されている。（Ａ）を記憶している状態において、ＨＯ  ｂｉｔ情報を含まないＥＮＢ  ＣＯＮＦＩＧＵＲＡＴＩＯＮ  ＵＰＤＡＴＥを受信したとする。この場合、（Ｂ）に示すように、Ｓ１管理テーブルＴＢのＨＯ  ｂｉｔ情報を除くＳ１情報が更新される。
【００８２】
（ハンドオーバ時における小基地局システムの転送動作の一例）
図１１は、ハンドオーバ時における小基地局システムの転送動作の一例を示す図である。図１１において、ＵＥ１１０１は、ＭｅＮＢ２０２に収容されており、ＭｅＮＢ２０２と接続している。また、ＵＥ１１０１の近傍には、ＨｅＮＢ２０１がある。ＨｅＮＢ２０１は、Ｃｅｌｌ  Ｉｄｅｎｔｉｔｙが（０ｘ１１１１１２２）のＳセル（セカンダリセル）と、Ｃｅｌｌ  Ｉｄｅｎｔｉｔｙが（０ｘ１１１１１３３）Ｐセル（プライマリセル）との複数のセルを収容する。なお、図１１においては、Ｃｅｌｌ  Ｉｄｅｎｔｉｔｙを１６進数で表している。
【００８３】
この状態において、ＵＥ１１０１が、ＨｅＮＢ２０１の複数のセルのうちの、電波状態が良好なＳセルを測定したとする。この場合、ＵＥ１１０１は、測定結果（図１２参照）として、ＳセルのＣｅｌｌ  Ｉｄｅｎｔｉｔｙ（０ｘ１１１１１２２）（＝ｅＮＢ  ＩＤ）をＭｅＮＢ２０２へ送信する。また、ＵＥ１１０１は、Ｃｅｌｌ  ＩｄｅｎｔｉｔｙとともにＴＡＩ（トラッキングエリアＩＤ）情報（＝４４）も送信する。なお、ＴＡＩ情報は、ＭＭＥ２０４がＨＡＮＤＯＶＥＲ  ＲＥＱＵＥＳＴの送信先を決定するためのＴＡＩルーティングにおいて用いられる。
【００８４】
ＭｅＮＢ２０２は、ＵＥ１１０１から測定結果を受信すると、ｅＮＢ  ＩＤ＝０ｘ１１１１１２２，ＴＡＩ＝４４のＨｅＮＢ２０１宛の、Ｔａｒｇｅｔ  Ｃｅｌｌ  ＩＤ＝０ｘ１１１１１２２としたＨＡＮＤＯＶＥＲ  ＲＥＱＵＩＲＥＤをＭＭＥ２０４へ送信する。そして、ＭＭＥ２０４は、ＭｅＮＢ２０２から、ＨＡＮＤＯＶＥＲ  ＲＥＱＵＩＲＥＤを受信すると、ＨＡＮＤＯＶＥＲ  ＲＥＱＵＥＳＴをＨｅＮＢ−ＧＷ２０３へ送信する。
【００８５】
ＭＭＥ２０４は、ＨｅＮＢ２０１のｅＮＢ  ＩＤ（０ｘ１１１１１２２）ついては管理していないものの、上位２０ビットのｅＮＢ  ＩＤと、ＴＡＩ＝４４のＨｅＮＢ２０１と、については管理している。このため、ＨＡＮＤＯＶＥＲ  ＲＥＱＵＥＳＴには、例えば、ｅＮＢ  ＩＤ＝０ｘ１１１１１と、ＴＡＩ＝４４と、Ｔａｒｇｅｔ  Ｃｅｌｌ  ＩＤ＝０ｘ１１１１１２２と、が含まれる。また、ＭＭＥ２０４は、ＴＡＩルーティングを行うことにより、転送先のＨｅＮＢ−ＧＷ２０３を決定することができる。
【００８６】
ＴＡＩルーティングは、ＭＭＥ２０４がＨＡＮＤＯＶＥＲ  ＲＥＱＵＩＲＥＤを受信した後のＨＡＮＤＯＶＥＲ  ＲＥＱＵＥＳＴの送信先をｅＮＢ  ＩＤではなく、ＴＡＩによって決定する手法である。例えば、ＨｅＮＢ−ＧＷ２０３の配下のＨｅＮＢ２０１が利用しているＴＡＩは、他の基地局や他のＨｅＮＢ−ＧＷ２０３の配下のＨｅＮＢ２０１では使用されない固有の情報である。このため、ＭＭＥ２０４は、ＴＡＩ＝４４のＨｅＮＢ−ＧＷ２０３へＨＡＮＤＯＶＥＲ  ＲＥＱＵＥＳＴを転送することができる。
【００８７】
ＨｅＮＢ−ＧＷ２０３は、ＭＭＥ２０４からＨＡＮＤＯＶＥＲ  ＲＥＱＵＥＳＴを受信する。ＨｅＮＢ−ＧＷ２０３は、Ｓ１管理テーブルＴＢを参照し、Ｔａｒｇｅｔ  Ｃｅｌｌ  ＩＤと２８ビット全てが完全一致するｅＮＢ  ＩＤがあるか否かを判定する。Ｔａｒｇｅｔ  Ｃｅｌｌ  ＩＤと２８ビット全てが完全一致するｅＮＢ  ＩＤがあれば、ＨｅＮＢ−ＧＷ２０３は、当該ｅＮＢ  ＩＤ（＝Ｃｅｌｌ  Ｉｄｅｎｔｉｔｙ）が付与されたセルを収容するＨｅＮＢ２０１にＨＡＮＤＯＶＥＲ  ＲＥＱＵＥＳＴを転送する。
【００８８】
一方、ＨｅＮＢ−ＧＷ２０３は、Ｔａｒｇｅｔ  Ｃｅｌｌ  ＩＤと２８ビット全てが完全一致するｅＮＢ  ＩＤがない場合、Ｔａｒｇｅｔ  Ｃｅｌｌ  ＩＤと前方一致するｅＮＢ  ＩＤを探索する。前方一致するｅＮＢ  ＩＤがない場合には、前方一致の判定における上位ビット数のビット数を減少させる。
【００８９】
例えば、Ｔａｒｇｅｔ  Ｃｅｌｌ  ＩＤの上位２７ビットが前方一致するｅＮＢ  ＩＤを探索し、該当するｅＮＢ  ＩＤがない場合には、前方一致の判定対象とするＨＯ  ｂｉｔ情報を２６に減少させる。さらに、Ｔａｒｇｅｔ  Ｃｅｌｌ  ＩＤの上位２６ビットが前方一致するｅＮＢ  ＩＤを探索し、該当するｅＮＢ  ＩＤがない場合には、前方一致の判定対象とするＨＯ  ｂｉｔ情報を２５に減少させる。以降も前方一致しない場合には、前方一致の判定対象のＨＯ  ｂｉｔ情報を順次減少させていく。
【００９０】
例えば、ＨｅＮＢ−ＧＷ２０３は、ＨＯ  ｂｉｔ情報が２３に設定されたＨｅＮＢ２０１のｅＮＢ  ＩＤと、Ｔａｒｇｅｔ  Ｃｅｌｌ  ＩＤとの上位２３ビット（＝０ｘ１１１１１）が一致するｅＮＢ  ＩＤ（＝０ｘ１１１１１３３）を探索によって得たとする。この場合、ＨｅＮＢ−ＧＷ２０３は、上位２３ビットに０ｘ１１１１１を含むｅＮＢ  ＩＤ（＝０ｘ１１１１１３３）が付与されたセルを収容するＨｅＮＢ２０１を転送先に決定する。そして、ＨｅＮＢ−ＧＷ２０３は、決定したＨｅＮＢ２０１へＨＡＮＤＯＶＥＲ  ＲＥＱＵＥＳＴを転送する。
【００９１】
ＨｅＮＢ２０１は、ＨｅＮＢ−ＧＷ２０３からＨＡＮＤＯＶＥＲ  ＲＥＱＵＥＳＴを受信する。ＨｅＮＢ２０１は、収容する複数のセルのうち、Ｔａｒｇｅｔ  Ｃｅｌｌ  ＩＤ（＝０ｘ１１１１１２２）と同じＣｅｌｌ  Ｉｄｅｎｔｉｔｙ（＝０ｘ１１１１１２２）が付与されたセルを識別することができる。このため、ＵＥ１１０１は、電波状態が良好なＣｅｌｌ  Ｉｄｅｎｔｉｔｙ（＝０ｘ１１１１１２２）のセルにハンドオーバを行うことができる。
【００９２】
（ＵＥがＭｅＮＢへ通知する測定結果の一例）
図１２は、ＵＥがＭｅＮＢへ通知する測定結果の一例を示す図である。図１２に示す測定結果は、３ＧＰＰ  ＴＳ  ３６．３３１で規格化されている。図１２に示すメッセージは、ＵＥ１１０１がＨｅＮＢ２０１のＳセルにハンドオーバを行うときに、在圏しているＭｅＮＢ２０２に伝えるメッセージである。
【００９３】
符号１２０１に示すｍｅａｓＲｅｓｕｌｔＮｅｉｇｈＣｅｌｌｓは、ＵＥ１１０１が測定した周囲のセルの測定結果の中で接続対象の候補となる隣接セルを示している。例えば、ＥＵＴＲＡ、ＵＴＲＡ、ＧＥＲＡＮ、ＣＤＭＡ２０００、といった通信方式がある。符号１２０２は、このような複数の通信方式のうち、ＥＵＴＲＡ（ＬＴＥ）を見つけたことを示している。
【００９４】
符号１２０３に示すように、ＥＵＴＲＡは、ｐｈｙｓＣｅｌｌＩｄ（フィジカルセルＩＤ）とｃｇｉとを含む。ｃｇｉは、ｃｅｌｌＧｌｏｂａｌＩｄ、ｔｒａｃｋｉｎｇＡｒｅａＣｏｄｅを含む。また、符号１２０４に示すように、ｃｅｌｌＧｌｏｂａｌＩｄは、ｐｌｍｎ−Ｉｄｅｎｔｉｔｙと、ｃｅｌｌＩｄｅｎｔｉｔｙとを含む。ｃｅｌｌＩｄｅｎｔｉｔｙは、２８ビットで表される。このような測定結果が、ＵＥ１１０１からＭｅＮＢ２０２へ送信される。
【００９５】
（Ｓ１ＡＰ：ＨＡＮＤＯＶＥＲ  ＲＥＱＵＩＲＥＤの一例）
図１３は、Ｓ１ＡＰ：ＨＡＮＤＯＶＥＲ  ＲＥＱＵＩＲＥＤの一例を示す図である。図１３の説明において、上述した図４のＳ１  ＳＥＴＵＰ  ＲＥＱＵＥＳＴ等と同様の点については説明を省略する。図１３に示すＨＡＮＤＯＶＥＲ  ＲＥＱＵＩＲＥＤは、３ＧＰＰ  ＴＳ  ３６．４１３で規格化されている。
【００９６】
ＨＡＮＤＯＶＥＲ  ＲＥＱＵＩＲＥＤにおいて、符号１３０１に示す「Ｔａｒｇｅｔ  ｅＮＢ−ＩＤ」は、例えば、図１２の符号１２０４に示したｃｅｌｌＧｌｏｂａｌＩｄに相当する。符号１３０１に示す「Ｔａｒｇｅｔ  ｅＮＢ−ＩＤ」は、下階層に、「Ｇｌｏｂａｌ  ｅＮＢ  ＩＤ」と、「Ｓｅｌｅｃｔｅｄ  ＴＡＩ」とを含む。「Ｇｌｏｂａｌ  ｅＮＢ  ＩＤ」は、例えば、図１２の符号１２０３に示したｃｅｌｌＧｌｏｂａｌＩｄと同等の値であり、２８ビットで表される。また、符号１３０２に示す「Ｔａｒｇｅｔ  Ｃｅｌｌ−ＩＤ」も、図１２の符号１２０３に示したｃｅｌｌＧｌｏｂａｌＩｄと同等の値であり、２８ビットで表される。
【００９７】
また、符号１３０１に示す「Ｔａｒｇｅｔ  ｅＮＢ−ＩＤ」の「Ｓｅｌｅｃｔｅｄ  ＴＡＩ」は、ＴＡＩルーティングに用いられるＴＡＩを示している。「Ｓｅｌｅｃｔｅｄ  ＴＡＩ」は、図１２の符号１２０４に示したｐｌｍｎ−Ｉｄｅｎｔｉｔｙと、符号１２０３に示したｔｒａｃｋｉｎｇＡｒｅａＣｏｄｅと、の組み合わせによって表される。このような、ＨＡＮＤＯＶＥＲ  ＲＥＱＵＩＲＥＤが、ＭｅＮＢ２０２からＭＭＥ２０４へ送信される。
【００９８】
（Ｓ１ＡＰ：ＨＡＮＤＯＶＥＲ  ＲＥＱＵＥＳＴの一例）
図１４は、Ｓ１ＡＰ：ＨＡＮＤＯＶＥＲ  ＲＥＱＵＥＳＴの一例を示す図である。図１４の説明において、上述した図４のＳ１  ＳＥＴＵＰ  ＲＥＱＵＥＳＴ等と同様の点については説明を省略する。図１４に示すＨＡＮＤＯＶＥＲ  ＲＥＱＵＥＳＴは、３ＧＰＰ  ＴＳ  ３６．４１３で規格化されている。
【００９９】
ＨＡＮＤＯＶＥＲ  ＲＥＱＵＥＳＴにおいて、符号１４０１に示す「Ｔａｒｇｅｔ  Ｃｅｌｌ  ＩＤ」は、例えば、図１３の符号１３０２に示した「Ｔａｒｇｅｔ  Ｃｅｌｌ−ＩＤ」と同等の値であり、２８ビットで表される。このような、ＨＡＮＤＯＶＥＲ  ＲＥＱＵＥＳＴが、ＭＭＥ２０４からＨｅＮＢ−ＧＷ２０３へ、または、ＨｅＮＢ−ＧＷ２０３からＨｅＮＢ２０１へ、送信される。
【０１００】
（ＨｅＮＢ−ＧＷが行う転送制御処理の一例）
図１５Ａは、ＨｅＮＢ−ＧＷが行う転送制御処理の一例を示すフローチャート（その１）である。図１５Ｂは、ＨｅＮＢ−ＧＷが行う転送制御処理の一例を示すフローチャート（その２）である。図１５Ａおよび図１５Ｂに示すように、ＨｅＮＢ−ＧＷ２０３は、ＭＭＥ２０４から、ＨＡＮＤＯＶＥＲ  ＲＥＱＵＥＳＴを受信したか否かを判定する（ステップＳ１５０１）。ＨｅＮＢ−ＧＷ２０３は、ＨＡＮＤＯＶＥＲ  ＲＥＱＵＥＳＴを受信するまで待機する（ステップＳ１５０１：Ｎｏ）。ＨＡＮＤＯＶＥＲ  ＲＥＱＵＥＳＴを受信すると（ステップＳ１５０１：Ｙｅｓ）、ＨｅＮＢ−ＧＷ２０３は、Ｓ１管理テーブルＴＢを確認する（ステップＳ１５０２）。
【０１０１】
次に、ＨｅＮＢ−ＧＷ２０３は、収容するｎ個のＨｅＮＢ２０１の値を示すｉ（ｉ＝１〜ｎ）に「１」を設定する（ステップＳ１５０３）。次に、ＨｅＮＢ−ＧＷ２０３は、ｎ個のうちのｉ番目のＨｅＮＢ２０１を選択する（ステップＳ１５０４）。
【０１０２】
そして、ＨｅＮＢ−ＧＷ２０３は、ＩＥ：Ｔａｒｇｅｔ  Ｃｅｌｌ  ＩＤ（図１４の符号１４０１参照）と、Ｓ１管理テーブルＴＢのｅＮＢ  ＩＤとが完全一致するＨｅＮＢ２０１があるか否かを判定する（ステップＳ１５０５）。完全一致するＨｅＮＢ２０１がある場合（ステップＳ１５０５：Ｙｅｓ）、ＨｅＮＢ−ＧＷ２０３は、一致したＨｅＮＢ２０１にＨＡＮＤＯＶＥＲ  ＲＥＱＵＥＳＴを転送し（ステップＳ１５１９）、一連の処理を終了する。
【０１０３】
ＩＥ：Ｔａｒｇｅｔ  Ｃｅｌｌ  ＩＤと、Ｓ１管理テーブルＴＢのｅＮＢ  ＩＤとが完全一致しない場合（ステップＳ１５０５：Ｎｏ）、ＨｅＮＢ−ＧＷ２０３は、ｉに「１」を加算する（ステップＳ１５０６）。そして、ＨｅＮＢ−ＧＷ２０３は、ｉがｎより大きいか否かを判定する（ステップＳ１５０７）。ｉがｎ以下である場合（ステップＳ１５０７：Ｎｏ）、ＨｅＮＢ−ＧＷ２０３は、ステップＳ１５０４へ移行する。
【０１０４】
ｉがｎより大きい場合（ステップＳ１５０７：Ｙｅｓ）、ＨｅＮＢ−ＧＷ２０３は、ビット数「２８」からの減算数であるＩに「１」をセットする（ステップＳ１５０８）。そして、ＨｅＮＢ−ＧＷ２０３は、ビット数「２８」からＩを減算する（ステップＳ１５０９）。そして、ＨｅＮＢ−ＧＷ２０３は、Ｓ１管理テーブルＴＢに、ビット数「２８」からＩを減算した値に一致するＨＯ  ｂｉｔ情報があるか否かを判定する（ステップＳ１５１０）。
【０１０５】
ビット数「２８」からＩを減算した値に一致するＨＯ  ｂｉｔ情報がない場合（ステップＳ１５１０：Ｎｏ）、ＨｅＮＢ−ＧＷ２０３は、ステップＳ１５１６へ移行する。ビット数「２８」からＩを減算した値に一致するＨＯ  ｂｉｔ情報がある場合（ステップＳ１５１０：Ｙｅｓ）、ＨｅＮＢ−ＧＷ２０３は、収容するｎ個のＨｅＮＢ−ＧＷ２０３の値を示すｉ（ｉ＝１〜ｎ）に「１」を設定する（ステップＳ１５１１）。次に、ＨｅＮＢ−ＧＷ２０３は、ｎ個のうちのｉ番目のＨｅＮＢ２０１を選択する（ステップＳ１５１２）。
【０１０６】
そして、ＨｅＮＢ−ＧＷ２０３は、ＩＥ：Ｔａｒｇｅｔ  Ｃｅｌｌ  ＩＤと、Ｓ１管理テーブルＴＢのｅＮＢ  ＩＤとが前方一致するＨｅＮＢ２０１があるか否かを判定する（ステップＳ１５１３）。ＩＥ：Ｔａｒｇｅｔ  Ｃｅｌｌ  ＩＤと、Ｓ１管理テーブルＴＢのｅＮＢ  ＩＤとが前方一致するＨｅＮＢ２０１がある場合（ステップＳ１５１３：Ｙｅｓ）、ＨｅＮＢ−ＧＷ２０３は、ステップＳ１５１９へ移行する。
【０１０７】
ＩＥ：Ｔａｒｇｅｔ  Ｃｅｌｌ  ＩＤと、Ｓ１管理テーブルＴＢのｅＮＢ  ＩＤとが前方一致するＨｅＮＢ２０１がない場合（ステップＳ１５１３：Ｎｏ）、ＨｅＮＢ−ＧＷ２０３は、ｉに「１」を加算する（ステップＳ１５１４）。そして、ＨｅＮＢ−ＧＷ２０３は、ｉがｎより大きいか否かを判定する（ステップＳ１５１５）。ｉがｎ以下である場合（ステップＳ１５１５：Ｎｏ）、ＨｅＮＢ−ＧＷ２０３は、ステップＳ１５１２へ移行する。ｉがｎより大きい場合（ステップＳ１５１５：Ｙｅｓ）、ＨｅＮＢ−ＧＷ２０３は、Ｉに「１」を加算する（ステップＳ１５１６）。
【０１０８】
次に、ＨｅＮＢ−ＧＷ２０３は、Ｉが所定値αより大きいか否かを判定する（ステップＳ１５１７）。所定値αは、例えば０〜２７の任意の整数とすることができる。Ｉが所定値α以下である場合（ステップＳ１５１７：Ｎｏ）、ＨｅＮＢ−ＧＷ２０３は、ステップＳ１５０９へ移行する。Ｉが所定値αより大きい場合（ステップＳ１５１７：Ｙｅｓ）、ＨｅＮＢ−ＧＷ２０３は、ＨＡＮＤＯＶＥＲ  ＲＥＱＵＥＳＴを破棄し（ステップＳ１５１８）、不図示であるが、ＭＭＥ２０４にＨＡＮＤＯＶＥＲ  ＦＡＩＬＵＲＥを送信し、一連の処理を終了する。
【０１０９】
（ＨｅＮＢ−ＧＷの転送制御処理によって識別できるｅＮＢ  ＩＤの一例）
図１６は、ＨｅＮＢ−ＧＷの転送制御処理において識別できるｅＮＢ  ＩＤの一例を示す説明図である。図１６に示すように、ＨｅＮＢ−ＧＷ２０３は、Ｓ１管理テーブルＴＢから、ＨＯ  ｂｉｔ情報がないｅＮＢ  ＩＤ（ＨｅＮＢ２０１）を抽出する。そして、Ｓ１管理テーブルＴＢに、Ｔａｒｇｅｔ  Ｃｅｌｌ  ＩＤと完全一致するｅＮＢ  ＩＤがあるか否かを判定する（図１５ＡのステップＳ１５０５と同様）。
【０１１０】
Ｓ１管理テーブルＴＢに、Ｔａｒｇｅｔ  Ｃｅｌｌ  ＩＤと完全一致するｅＮＢ  ＩＤがある場合、ＨｅＮＢ−ＧＷ２０３は、完全一致したｅＮＢ  ＩＤを収容するＨｅＮＢ２０１へＨＡＮＤＯＶＥＲ  ＲＥＱＵＥＳＴを送信する。完全一致するｅＮＢ  ＩＤがない場合、ＨｅＮＢ−ＧＷ２０３は、Ｓ１管理テーブルＴＢを参照し、Ｔａｒｇｅｔ  Ｃｅｌｌ  ＩＤと上位２７ビットが前方一致するｅＮＢ  ＩＤがあるか否かを判定する（図１５ＢのステップＳ１５１３と同様）。
【０１１１】
Ｓ１管理テーブルＴＢに、Ｔａｒｇｅｔ  Ｃｅｌｌ  ＩＤと上位２７ビットが一致するｅＮＢ  ＩＤがある場合、ＨｅＮＢ−ＧＷ２０３は、前方一致したｅＮＢ  ＩＤを収容するＨｅＮＢ２０１へＨＡＮＤＯＶＥＲ  ＲＥＱＵＥＳＴを送信する。例えば、ＨｅＮＢ２０１のセル間で共通化された前方一致の部分が２７ビットの場合、ｅＮＢ  ＩＤと末尾１桁が異なるＴａｒｇｅｔ  Ｃｅｌｌ  ＩＤを識別することができる。
【０１１２】
具体的には、末尾１桁が１のＴａｒｇｅｔ  Ｃｅｌｌ  ＩＤに対して、登録されているｅＮＢ  ＩＤの末尾１桁が０のものが前方一致として判定される。なお、ＨｅＮＢ２０１において、収容するセルのＣｅｌｌ  ＩｄｅｎｔｉｔｙとＴａｒｇｅｔ  Ｃｅｌｌ  ＩＤとの一致判定を行うことにより、Ｔａｒｇｅｔ  Ｃｅｌｌ  ＩＤを識別することができる。
【０１１３】
上位２７ビットが前方一致するｅＮＢ  ＩＤがない場合、ＨｅＮＢ−ＧＷ２０３は、Ｓ１管理テーブルＴＢのＨＯ  ｂｉｔ情報を参照し、Ｔａｒｇｅｔ  Ｃｅｌｌ  ＩＤと上位２６ビットが前方一致するｅＮＢ  ＩＤがあるか否かを判定する（図１５ＢのステップＳ１５１３と同様）。
【０１１４】
Ｓ１管理テーブルＴＢに、Ｔａｒｇｅｔ  Ｃｅｌｌ  ＩＤと上位２６ビットが前方一致するｅＮＢ  ＩＤがある場合、ＨｅＮＢ−ＧＷ２０３は、前方一致したｅＮＢ  ＩＤを収容するＨｅＮＢ２０１へＨＡＮＤＯＶＥＲ  ＲＥＱＵＥＳＴを転送する。
【０１１５】
例えば、ＨｅＮＢ２０１のセル間で共通化された前方一致の部分が２６ビットの場合、ｅＮＢ  ＩＤと末尾２桁が異なるＴａｒｇｅｔ  Ｃｅｌｌ  ＩＤを識別することができる。具体的には、末尾２桁が０１のＴａｒｇｅｔ  Ｃｅｌｌ  ＩＤに対して、登録されているｅＮＢ  ＩＤの末尾２桁が００，１０，１１となるものが前方一致として判定される。なお、ＨｅＮＢ２０１において、収容するセルのＣｅｌｌ  ＩｄｅｎｔｉｔｙとＴａｒｇｅｔ  Ｃｅｌｌ  ＩＤとの一致判定を行うことにより、Ｔａｒｇｅｔ  Ｃｅｌｌ  ＩＤを識別することができる。
【０１１６】
２５ビット以下については説明を省略するが、同様に前方一致の判定を行うことにより、前方一致したｅＮＢ  ＩＤを収容するＨｅＮＢ２０１へ、ＨＡＮＤＯＶＥＲ  ＲＥＱＵＥＳＴを転送できる。
【０１１７】
上述した実施の形態では、ＨｅＮＢ２０１宛のメッセージとして、ＨＡＮＤＯＶＥＲ  ＲＥＱＵＥＳＴを用いた場合について説明したが、これに限らず、ＩＥの内部に真の宛先をもつメッセージに適用することもできる。例えば、ＭＭＥ  ＤＩＲＥＣＴ  ＩＮＦＯＲＭＡＴＩＯＮ  ＴＲＡＮＳＦＥＲや、ＭＭＥ  ＣＯＮＦＩＧＵＲＡＴＩＯＮ  ＴＲＡＮＳＦＥＲに適用することもできる。
【０１１８】
以上説明したように、ＨｅＮＢ２０１が収容する複数セルの各セルＩＤを、末尾数ビットを除いて共通化し、該ＨｅＮＢ２０１を収容するＨｅＮＢ−ＧＷ２０３が、受信した信号のＴａｒｇｅｔ  Ｃｅｌｌ  ＩＤと前方一致するｅＮＢ  ＩＤを探索する。これにより、ＨｅＮＢ−ＧＷ２０３が信号の転送先のＨｅＮＢ２０１を識別することができる。
【０１１９】
また、ＨｅＮＢ２０１は、転送された信号を用いて、収容する複数のセルの中から信号の宛先となるセルを識別することができる。これにより、ＨｅＮＢ２０１は、例えば、ハンドオーバ処理を行うことができる。
【０１２０】
また、本実施の形態では、ＨｅＮＢ２０１が収容するセルの数に合わせて、各セル間で共通化する上位ビット数を可変にすることができる。このため、例えば、ＨｅＮＢ２０１が収容するセルの数が増えた場合には、２８ビットのうち、各セル間で共通化する上位ビット数を少なく、末尾のビットを増やすことができる。
【０１２１】
また、本実施の形態では、ＨｅＮＢ２０１に対して、２８ビットのうちの２０ビットをＨｅＮＢ２０１の識別用のｅＮＢ  ＩＤとして用いなくても、２８ビットのｅＮＢ  ＩＤをそのまま用いて、信号の転送先のＨｅＮＢ２０１を識別することができる。また、仮にＨｅＮＢ２０１毎にＴＡＩを設定したとすると、ＴＡＩが増えてＴＡＩの枯渇を招くおそれがある。本実施の形態では、ＴＡＩを増加させなくても、信号の転送先のＨｅＮＢ２０１を識別することができる。
【０１２２】
また、仮に、ＨｅＮＢ２０１における複数（例えば２）のセルにおいて、２８ビットのｅＮＢ  ＩＤを２つ取得して２つのＳ１セットアップを行ったとすると、Ｓ１セットアップの数が増える。これにより、ＨｅＮＢ−ＧＷ２０３およびＭＭＥ２０４においては、Ｓ１インタフェースをたくさん管理しなければならず負荷となる。本実施の形態では、Ｓ１インタフェースを増加させなくても、信号の転送先のＨｅＮＢ２０１を識別することができる。
【０１２３】
（実施の形態の変形例）
次に、実施の形態の変形例について説明する。変形例では、ｅＮＢ  ＩＤが一致したＨｅＮＢ２０１にＨＡＮＤＯＶＥＲ  ＲＥＱＵＥＳＴを転送したにもかかわらず、転送に失敗する場合について説明する。例えば、複数のＨｅＮＢ２０１間で共通のｅＮＢ  ＩＤが設定される場合において、一致したｅＮＢ  ＩＤのＨｅＮＢ２０１へ要求信号を転送した場合について説明する。
【０１２４】
（ＨｅＮＢが行う処理の一例）
図１７は、ＨｅＮＢが行う処理の一例を示すフローチャートである。図１７に示すように、ＨｅＮＢ２０１は、ＨｅＮＢ−ＧＷ２０３から、ＨＡＮＤＯＶＥＲ  ＲＥＱＵＥＳＴを受信したか否かを判定する（ステップＳ１７０１）。ＨｅＮＢ２０１は、ＨｅＮＢ−ＧＷ２０３から、ＨＡＮＤＯＶＥＲ  ＲＥＱＵＥＳＴを受信するまで待機する（ステップＳ１７０１：Ｎｏ）。ＨＡＮＤＯＶＥＲ  ＲＥＱＵＥＳＴを受信すると（ステップＳ１７０１：Ｙｅｓ）、ＨｅＮＢ２０１は、収容する１または複数のセルの中に、該当するＣｅｌｌ  Ｉｄｅｎｔｉｔｙがあるか否かを判定する（ステップＳ１７０２）。
【０１２５】
該当するＣｅｌｌ  Ｉｄｅｎｔｉｔｙがある場合（ステップＳ１７０２：Ｙｅｓ）、ＨｅＮＢ２０１は、該当するＣｅｌｌ  Ｉｄｅｎｔｉｔｙのセルにハンドオーバを行い（ステップＳ１７０３）、一連の処理を終了する。該当するＣｅｌｌ  Ｉｄｅｎｔｉｔｙがない場合（ステップＳ１７０２：Ｎｏ）、ＨｅＮＢ２０１は、該当するＣｅｌｌ  Ｉｄｅｎｔｉｔｙがない旨を示すＦＡＩＬＵＲＥをＨｅＮＢ−ＧＷ２０３へ送信し（ステップＳ１７０４）、一連の処理を終了する。
【０１２６】
（変形例にかかるＨｅＮＢ−ＧＷが行う転送処理の一例）
図１８は、変形例にかかるＨｅＮＢ−ＧＷが行うハンドオーバ処理の一例を示すフローチャートである。図１８に示すように、ＨｅＮＢ−ＧＷ２０３は、ＨｅＮＢ２０１から、ＦＡＩＬＵＲＥを受信したか否かを判定する（ステップＳ１８０１）。ＨｅＮＢ−ＧＷ２０３は、ＦＡＩＬＵＲＥを受信するまで待機する（ステップＳ１８０１：Ｎｏ）。ＦＡＩＬＵＲＥを受信するとは、Ｃｅｌｌ  Ｉｄｅｎｔｉｔｙが付与されたセルを、転送先のＨｅＮＢ２０１が収容していない場合である。
【０１２７】
ＦＡＩＬＵＲＥを受信すると（ステップＳ１８０１：Ｙｅｓ）、ＨｅＮＢ−ＧＷ２０３は、図１５ＢのステップＳ１５１９においてＴａｒｇｅｔ  Ｃｅｌｌ  ＩＤとｅＮＢ  ＩＤが一致した際のｉとＩとを再び設定する（ステップＳ１８０２）。この後、ＨｅＮＢ−ＧＷ２０３は、図１５ＡのステップＳ１５０４へ移行し、図１５ＡのステップＳ１５０４以降の処理を行う。
【０１２８】
この場合、図１５Ａおよび図１５Ｂの処理において、他に同等の上位ビットが前方一致するｅＮＢ  ＩＤがある場合には、この同等の上位ビットが前方一致するｅＮＢ  ＩＤを収容するＨｅＮＢ２０１に信号を転送することとなる。また、他に同等の上位ビットが前方一致するｅＮＢ  ＩＤがある場合には、次に長い上位ビットが前方一致するｅＮＢ  ＩＤの探索が行われることとなる。
【０１２９】
図１８の処理のトリガは、ＦＡＩＬＵＲＥの受信としたが、これに限らず、ｅＮＢ  ＩＤが前方一致したＨｅＮＢ２０１にＨＡＮＤＯＶＥＲ  ＲＥＱＵＥＳＴを転送したにもかかわらず、転送先のＨｅＮＢ２０１からの応答がない場合としてもよい。
【０１３０】
このように、変形例によれば、ｅＮＢ  ＩＤが一致したＨｅＮＢ２０１にＨＡＮＤＯＶＥＲ  ＲＥＱＵＥＳＴを転送したにもかかわらず、転送に失敗した場合でも、他のｅＮＢ  ＩＤを探索して転送することができる。
【０１３１】
上述した実施の形態に関し、さらに以下の付記を開示する。
【０１３２】
（付記１）自装置に接続された基地局のセルに付与された第１識別情報であって、前記セルと異なる前記基地局のセルに付与された識別情報との間で末尾の所定位置を除き共通の値が設定される前記第１識別情報と、自装置および前記基地局の間の通信リンクと、を対応付けて記憶する記憶部と、
他の通信装置から受信した信号に含まれる第２識別情報であって前記信号の宛先基地局を示す前記第２識別情報と一致する前記第１識別情報が前記記憶部に記憶されていない場合、前記記憶部に記憶された前記第１識別情報の中から前記第２識別情報と前方一致する第１識別情報を探索し、前記前方一致する第１識別情報と対応付けて前記記憶部に記憶された通信リンクにより前記信号を転送する転送制御部と、
を有することを特徴とする中継装置。
【０１３３】
（付記２）前記転送制御部は、前記第２識別情報と前方一致する第１識別情報のうちの前記第２識別情報と前方一致する範囲が最も大きい第１識別情報を探索し、前記範囲が最も大きい第１識別情報と対応付けて前記記憶部に記憶された通信リンクにより前記信号を転送することを特徴とする付記１に記載の中継装置。
【０１３４】
（付記３）前記転送制御部は、前記範囲が最も大きい第１識別情報と対応付けて前記記憶部に記憶された通信リンクによる前記信号の転送に失敗した場合、前記範囲が最も大きい第１識別情報の次に前記範囲が大きい第１識別情報と対応付けて前記記憶部に記憶された通信リンクにより前記信号を転送することを特徴とする付記２に記載の中継装置。
【０１３５】
（付記４）前記末尾の所定位置のビット長は、第１ビット長以下であり、
前記転送制御部は、前記第１識別情報のビット長と前記第１ビット長との差分に相当する第２ビット長以上で前記第２識別情報と前方一致する第１識別情報を探索し、前記第２ビット長以上で前記第２識別情報と前方一致する第１識別情報と対応付けて前記記憶部に記憶された通信リンクにより前記信号を転送することを特徴とする付記１〜３のいずれか一つに記載の中継装置。
【０１３６】
（付記５）前記信号は、前記基地局とは異なる他の基地局のセルに接続されている移動局の接続先を前記宛先基地局のセルに切替えることを要求する信号であることを特徴とする付記１〜４のいずれか一つに記載の中継装置。
【０１３７】
（付記６）前記転送制御部は、前記第２識別情報と一致する前記第１識別情報が前記記憶部に記憶されている場合、前記第２識別情報と一致する前記第１識別情報と対応付けて前記記憶部に記憶された通信リンクにより前記信号を転送することを特徴とする付記１〜５のいずれか一つに記載の中継装置。
【０１３８】
（付記７）自装置に接続された基地局のセルに付与された第１識別情報であって、前記セルと異なる前記基地局のセルに付与された識別情報との間で先頭の所定位置を除き共通の値が設定される前記第１識別情報と、自装置および前記基地局の間の通信リンクと、を対応付けて記憶する記憶部と、
他の通信装置から受信した信号に含まれる第２識別情報であって前記信号の宛先基地局を示す前記第２識別情報と一致する前記第１識別情報が前記記憶部に記憶されていない場合、前記記憶部に記憶された前記第１識別情報の中から前記第２識別情報と後方一致する第１識別情報を探索し、前記後方一致する第１識別情報と対応付けて前記記憶部に記憶された通信リンクにより前記信号を転送する転送制御部と、
を有することを特徴とする中継装置。
【０１３９】
（付記８）自装置に接続された基地局のセルに付与された第１識別情報であって、前記セルと異なる前記基地局のセルに付与された識別情報との間で末尾の所定位置を除き共通の値が設定される前記第１識別情報と、自装置および前記基地局の間の通信リンクと、を対応付けて記憶し、他の通信装置から受信した信号に含まれる第２識別情報であって前記信号の宛先基地局を示す前記第２識別情報と一致する前記第１識別情報を記憶していない場合、記憶した前記第１識別情報の中から前記第２識別情報と前方一致する第１識別情報を探索し、前記前方一致する第１識別情報と対応付けて記憶した通信リンクにより前記信号を転送する中継装置と、
前記中継装置によって転送された前記信号に基づく処理を行う前記基地局と、
を有することを特徴とする基地局システム。
【符号の説明】
【０１４０】
１００  基地局システム
１１１  記憶部
１１２  転送制御部
１１３  対応情報
１２０  基地局
２００  小基地局システム
２０１  ＨｅＮＢ
２０２  ＭｅＮＢ
２０３  ＨｅＮＢ−ＧＷ
２０４  ＭＭＥ
３１０  伝送インタフェース
３１１  ＨｅＮＢ側Ｓ１送受信部
３１２  ＭＭＥ側Ｓ１送受信部
３２０  ＣＰＵ
３２１  Ｓ１インタフェース確立・更新部
３２２  Ｓ１メッセージ処理部
３２３  ＨＯ処理用ＩＥ存否確認部
３２４  ＨＯメッセージ転送先決定部
３３０  メモリ
ＴＢ  Ｓ１管理テーブル
【国際調査報告】
2016051578.tif 000023
2016051578.tif 000024
2016051578.tif 000025
2016051578.tif 000026